(57)【要約】【課題】遊技盤の盤面で取手が邪魔にならず、遊技盤の荷重を確実に支えることが可能な遊技機を提供する。【解決手段】本発明の遊技機は、遊技盤１５の前面にその遊技領域の外側領域を埋める所定の厚みのコーナ飾り９１ｄが設けられる。コーナ飾り９１ｄの下端部には取手８０が形成される。取手８０は、コーナ飾り９１ｄの前面または側端面の開口部と、この開口部からコーナ飾り９１ｄの内側に延びる指掛収容部とを有している。取手８０の指掛収容部は、遊技盤１５の下端部から上方側へ延びているとよい。【選択図】図２
2010148978.tif 000002
【特許請求の範囲】
【請求項１】
遊技盤の前面にその遊技領域の外側領域を埋める所定の厚みのコーナ飾りを設けるとともに、このコーナ飾りに取手を形成するようにした遊技機であって、
前記取手は、前記コーナ飾りの前面または側端面の開口部と、この開口部から前記コーナ飾りの内側に延びる指掛収容部とを備えることを特徴とする遊技機。
【発明の詳細な説明】
【技術分野】
【０００１】
本発明は、遊技機に関するもので、詳しくは、遊技盤の取手構造に関するものである。
【背景技術】
【０００２】
パチンコ機等の遊技機は、遊技盤の入れ替えや各種装置の修理などの際に、基枠に遊技盤を装着したり、また、基枠から遊技盤を取り外したりする作業を伴う。近年、図柄表示装置等が大型化され、これに応じて遊技盤の荷重も増加する傾向にある。
【０００３】
従来、このような遊技盤の運搬や交換等の作業を行いやすくするために、遊技盤に取手を設けるものがある。この種の取手構造としては、例えば、遊技盤の所定箇所に棒状の持ち手を突き出させるもの（特許文献２）、遊技盤から突き出た板片に手指の入る貫通穴を空けて取手とするもの（特許文献３）等が知られている。
【０００４】
しかしながら、このような従来の遊技機は、遊技盤の周辺に取手が大きく突き出す構成であるため、遊技盤の装着後に取手が邪魔になることがある。また、盤面の限られたスペースに取手を設けることが困難になる場合もある。
【０００５】
これに対し、特許文献１に示すように、遊技盤のコーナー飾りの一部を僅かに突き出させて、この突き出し部分を指で引っ掛けるようにした取手構造も知られるが、このような取手構造では、盤面のスペース的な節約は図れるが、突き出し部から指が滑りやすく、遊技盤の荷重が大きくなると、その運搬・交換等の作業が行いにくくなる。
【先行技術文献】
【特許文献】
【０００６】
【特許文献１】特開平９−２６２３５２号公報
【特許文献２】特開２００２−３３１０８１号公報
【特許文献３】特開２００３−１５４０８３号公報
【発明の概要】
【発明が解決しようとする課題】
【０００７】
本発明は、このような現状に鑑みなされたもので、遊技盤の盤面で取手が邪魔にならず、しかも、遊技盤の荷重を確実に支えることが可能な遊技機を提供することを目的としている。
【課題を解決するための手段】
【０００８】
［第１発明］
本発明（第１発明）の遊技機は、
遊技盤の前面にその遊技領域の外側領域を埋める所定の厚みのコーナ飾りを設けるとともに、このコーナ飾りに取手を形成するようにした遊技機であって、
前記取手は、前記コーナ飾りの前面または側端面に開口部を有し、この開口部から前記遊技盤の盤面に沿って、前記コーナ飾りの内側に指掛収容部が延びる袋状取手であることを特徴としている。
【０００９】
本発明（第１発明）の遊技機によれば、コーナ飾りの内側に向けて取手の指掛収容部が延びるため、遊技盤の盤面に取手がほとんど露出しない。このため、盤面で取手が邪魔になりにくく、盤面を広く有効利用することができる。
また、コーナ飾りの厚みを利用することで、指掛収容部を奥行きのあるものにすることができるため、取手に手指を引っ掛けやすくなる。
さらに、コーナ飾りと取手を同一部品で一体的に形成することができるため、別途、取手用の部品を追加する必要がなく、コスト面、組み立てのて間の面でも負担が軽減される。
【００１０】
［第２発明］
本発明（第２発明）の遊技機は、第１発明の構成を有する遊技機であって、
前記袋状取手の開口部が前記遊技盤の下端部に設けられ、前記指掛収容部が前記遊技盤の下端部から上方側へ延びていることを特徴としている。
【００１１】
このような構成によれば、遊技盤の下端部を袋状取手で持ち上げることができ、遊技盤の荷重を支えやすくなる。これにより、遊技盤の交換・持ち運び等の作業性が向上する。
【００１２】
［第３発明］
遊技機の基枠に遊技盤を装着する方式としては、遊技盤を縦向きに持ったまま、一方の側端（固定端）を基枠の係止部に引っ掛け、その係止部を軸にして他方の側端（自由端）を回動させながら基枠に収めるものがある。このような遊技機では、遊技盤の持ち手の位置がその脱着の作業性の善し悪しに影響を与えやすい。
【００１３】
本発明（第３発明）の遊技機は、遊技盤の一方の側端を基枠の係止部に引っ掛けて固定端とし、前記遊技盤の他方の側端を自由端として回動させて前記基枠に遊技盤を装着するようにした遊技機であって、
前記袋状取手が、前記遊技盤の自由端側に設けられることを特徴としている。
【００１４】
このような構成によれば、遊技機の基枠に遊技盤を回動操作によって装着する際に、遊技盤の自由端側の袋状取手の指掛収容部に手指を差し入れて、その荷重を支えることができる。このため、遊技盤を回動方向に容易に引っ張ったり押したりすることが可能になり、基枠への遊技盤の装着作業を極めて簡単にすることができる。
【００１５】
［第４発明］
本発明（第４発明）の遊技機は、前記コーナ飾りの端部に、手指が収まる程度の広さの切り欠きを設け、この切り欠き空間に前記袋状取手の開口部および指掛収容部が連なることを特徴としている。
【００１６】
このような構成によれば、切り欠きの間に手指を添えて袋状取手を持つことができるため、一定の位置（切り欠きの位置）で確実に遊技盤の荷重を支えることが可能になる。
また、コーナ飾りの前面に切り欠きが現れることになるため、作業者がこの切り欠きの位置から取手の位置を把握しやすくなる。
【００１７】
［第５発明］
コーナ飾りの端部に切り欠きを形成する場合、この切り欠き付近のパネル強度が低下しやすくなる。コーナ飾りに袋状取手を形成する場合には、このようなパネル強度低下を回避することが望ましい。
この対策として、切り欠き空間に補強部材を架け渡すようにすることが考えられるが、補強部材の形状・位置等によっては、取手に手指を掛けるときに、補強部材が邪魔になってしまい、遊技盤の交換・運搬の作業が行いにくくなる。
【００１８】
本発明（第５発明）の遊技機は、前記コーナ飾りの端部に、手指が収まる程度の広さの切り欠きを設け、この切り欠き空間に前記袋状取手の開口部および指掛収容部が連なる遊技機であって、
前記切り欠き空間に補強部材を架け渡すとともに、この補強部材の前面側に、前記コーナ飾りの前面よりも凹む逃げ空間が設けられることを特徴とする。
【００１９】
このような構成によれば、コーナ飾りの切り欠き付近のパネル面が補強部材によって補強されるため、そのパネル面の反りや撓みなどの強度低下による影響を回避することができる。
また、補強部材の前面側に逃げ空間が設けられるため、切り欠きから取手に手指をかけるときに補強部材に触れにくくなる。このため、補強部材に邪魔されることなく、遊技盤の交換・運搬作業を快適に行うことができる。
【００２０】
［第６発明］
遊技機の基枠に遊技盤を前方から装着する場合には、その装着操作に伴って遊技盤と基枠とを互いに係合しながら、遊技盤側の電気接点と基枠側の電気接点とを一対のコネクタで接続することがある。
【００２１】
本発明（第６発明）の遊技機は、遊技盤を前方から基枠に装着し、その装着操作に伴って遊技盤と基枠とを互いに係合しながら、遊技盤側の電気接点と基枠側の電気接点とを一対のコネクタで接続するようにした遊技機であって、
前記遊技盤の背面に前記コネクタを設けるとともに、この遊技盤の正面側であって前記コネクタの概ね前方位置に前記袋状取手を設けたことを特徴としている。
【００２２】
このような構成によれば、遊技盤の脱着時に、袋状取手を持って遊技盤を前後に動かすと、その押し引きの力が取手部分からコネクタに作用しやすい。このため、基枠から遊技盤を脱着する際に遊技盤を安定して支持できるとともに、コネクタの抜き差しも容易に行える。
【００２３】
［第１〜６発明］
本発明（第１〜６発明）は、遊技盤の前面にコーナー飾りを有する構成の各種遊技機に適用することができる。例えば、パチンコ機、アレンジボール機、雀球遊技機等の遊技機に適用すると効果的である。
本発明（第１〜６発明）は、必要に応じて単独で適用してもよいし、各発明を組み合わせて適用してもよい。また、本明細書に記載される他の発明を組み合わせてもよい。
【図面の簡単な説明】
【００２４】
【図１】本発明の実施形態による遊技機を示す斜視図である。
【図２】同遊技機の遊技盤を示す斜視図である。
【図３】本発明の実施形態によるレールユニットを示す正面図である。
【図４】同レールユニットの外レールユニットを示す正面図である。
【図５】同レールユニットの外レールユニットを示す背面図である。
【図６】同レールユニットの外レールユニットを示す背面斜視図である。
【図７】同レールユニットの中間レールユニットおよび内レールユニットを示す正面図である。
【図８】同レールユニットの中間レールユニットおよび内レールユニットを示す背面図である。
【図９】同レールユニットの中間レールユニットおよび内レールユニットを示す斜視図である。
【図１０】同レールユニットの中間レールユニットおよび内レールユニットを示す側面図である。
【図１１】同遊技機の遊技盤を取り外した状態を示す斜視図である。
【図１２】同遊技盤の本体枠に遊技盤を装着する方法を説明するための平面模式図である。
【図１３】同遊技盤の取手を示すもので、図２に示す［Ｙ］部分の拡大図である。
【図１４】同遊技盤の取手を示すもので、図３に示す［Ｙ］部分の拡大図である。
【図１５】同遊技盤の取手を示すもので、（Ａ）は縦断面図、（Ｂ）は横断面図である。
【図１６】同遊技盤の取手を示す部分拡大断面図である。
【図１７】同遊技盤の取手の使用状態を示す断面図である。
【図１８】同遊技盤の背面のコネクタを取り外した状態を示す断面図である。
【図１９】同レールユニットの図５および図６に示す［Ｚ］部分の拡大図である。
【図２０】図１９に示す［２０］−［２０］線断面図である。
【図２１】本発明の実施形態による除電金具を示す斜視図である。
【図２２】同除電金具の側面図である。
【図２３】同除電金具の板刃を示す部分拡大断面図である。
【図２４】同除電金具の取付状態を示すもので、（Ａ）は部分拡大平面図、（Ｂ）は部分拡大断面図である。
【図２５】同除電金具と案内レールとの接触状態を示す部分拡大平面図である。
【図２６】同除電金具の板刃の使用状態を示す拡大断面図である。
【図２７】本発明の実施形態による遊技盤を示す背面図である。
【図２８】同遊技盤の背面斜視図である。
【図２９】同遊技盤のレールユニットと集合樋との共締め構造を示す部分拡大断面図である。
【図３０】本発明の実施形態による遊技盤の外レール始端付近を示す部分拡大正面図である。
【図３１】同遊技盤の外レールの保護カバーを示す正面図である。
【図３２】同保護カバーの斜視図である。
【図３３】同保護カバーの取付部分の構成を示す斜視図である。
【図３４】同保護カバーの作用説明図である。
【図３５】同遊技盤の平面図である。
【図３６】同遊技盤のコーナ飾りを示す部分拡大斜視図である。
【図３７】同コーナ飾りの作用を説明するための模式断面図である。
【図３８】本発明の実施形態によるレールユニットを重ね合わせた状態を示す模式断面図である。
【図３９】同レールユニットの中間レールユニットおよび内レールユニットの連結部分の構成を示す拡大平面図である。
【図４０】同レールユニットの中間レールユニットおよび内レールユニットの連結部分の作用を説明するための拡大平面図である。
【図４１】同レールユニットの中間レールユニットと内レールユニットとを折り畳んだ状態を示す平面図である。
【図４２】同レールユニットの中間レールユニットと内レールユニットとの連結部分の構成を示す平面図である。
【図４３】同レールユニットの中間レールユニットと内レールユニットとの連結部分の作用を説明するための平面図である。
【発明を実施するための形態】
【００２５】
以下、本発明の実施の形態を図面に基づいて説明する。本実施形態は、パチンコ機に本発明を適用したものである。
図１に示すように、遊技機１０は、外枠１２に本体枠（基枠）１３およびガラス枠１４が取り付けられる。本体枠１３に形成された開口の前部には遊技盤装着枠部９３（図１１参照）が設けられ、この遊技盤装着枠部９３に遊技盤１５が脱着可能に取り付けられている。本体枠１３とガラス枠１４とはヒンジ１６により遊技機１０の正面側に開閉するようになっている。
【００２６】
遊技盤１５の下方には遊技球の発射用のハンドル１７が設けられる。ハンドル１７を操作すると、遊技球が発射レール１８に打ち出され、外レール１５ａと内レール１５ｂとの間の誘導通路を通って遊技盤１５の遊技領域Ｐに放出される。
【００２７】
図２に示すように、遊技領域Ｐには、遊技球の落下方向を規制する誘導釘（図示省略）が設けられ、これらの誘導釘の間に抽選図柄を表示する図柄表示装置３０、抽選図柄表示を開始させる始動口２７、一般入賞口２８、大当たり時に開閉して遊技球の入賞を促すアタッカ装置２９等が配置されている（図２参照）。
【００２８】
遊技盤１５は、ベニヤ等の板材からなるベース板２１と、プラスチック成形材からなるレールユニット２２とを備えている。遊技盤１５の盤面のうちレールユニット２２に囲まれる部分に遊技領域Ｐが仕切られる。遊技領域Ｐの盤面には、セル画シートが貼られており、そのシート面に図柄、文字、キャラクター、背景などの遊技を盛り上げる装飾印刷が施されている。遊技者は、ガラス枠１４（図１参照）を通して係る印刷面を見ることになる。
【００２９】
レールユニット２２は、外レールユニット２２Ａ、中間レールユニット２２Ｂ、および内レールユニット２２Ｃからなる。各レールユニット２２Ａ〜２２Ｃの遊技領域Ｐの外側には、ベース板１２の四隅部を覆うコーナ飾り９１ａ〜９１ｄ（図２参照）が一体形成されている。各コーナ飾り９１ａ〜９１ｄは、上下および左右で互いに連なっており、遊技領域Ｐの外側の盤面をほぼ全面覆っている。
【００３０】
外レールユニット２２Ａは、外レール始端付近から遊技盤１５の左側端部を通って遊技盤１５の上端部に達し、外レール終端付近まで延びる。中間レールユニット２２Ｂは、外レール終端付近から遊技盤１５の右側端部を通って下方に延び、遊技盤１５の下部中央付近まで延びる。そして、内レールユニット２２Ｃは、遊技盤１５の下部中央付近から外レールユニット２２Ａの内側面に沿って上方に延びる。
図３に示すように、外レールユニット２２Ａと中間レールユニット２２Ｂとは、連結ピン２５で連結されており、一方、中間レールユニット２２Ｂと内レールユニット２２Ｃとは、連結ネジ２６で連結されている。
【００３１】
図５および図６に示すように、外レールユニット２２Ａの裏面には、固定ネジを通すボス３１ａ〜３１ｆと、圧入ピン３２ａ〜３２ｄとが所定の間隔を保って形成される。
一方、図８〜図１０に示すように、中間レールユニット２２Ｂと内レールユニット２２Ｃの裏面には、固定ネジを通すボス３１ｇ〜３１ｉと、圧入ピン３２ｅ〜３２ｈとが所定の間隔を保って形成されている。
各レールユニット２２Ａ〜２２Ｃとベース板２１との取り付けは、これらのボス３１ａ〜３１ｉおよび圧入ピン３２ａ〜３２ｈを、予めベース板２１に形成された固定穴に位置合わせし、固定ネジおよび圧入ピン３２ａ〜３２ｈで止めることにより行われる。
【００３２】
図５に示すように、外レールユニット２２Ａのレール長さ方向には、その内周面に沿って金属製の案内レールＲが取り付けられる。案内レールＲのレール面に遊技球が転がり、外レールユニット２２Ａの内周面は遊技球に直接触れることがない。
なお、このような金属製の案内レールＲは、外レールユニット２２Ａのみに採用され、中間レールユニット２２Ｂおよび内レールユニット２２Ｃには採用されない。すなわち、通常の遊技状態では、中間レールユニット２２Ｂおよび内レールユニット２２Ｃのレール面には遊技球の接触する頻度が少ないため、これらのユニット２２Ｂおよび２２Ｃでは、遊技領域Ｐを仕切る樹脂成形面（内周面）がそのまま遊技球のレール面として用いられる。
【００３３】
遊技盤１５のヒンジ側のコーナ飾り９１ａ，９１ｂには、係止溝９２，９２が形成される（図２参照）。これらの係止溝９２，９２は、後述する本体枠１３の係止片９４，９４に嵌まる溝幅および溝長さをもつ。
【００３４】
図１１に示すように、本体枠１３には、矩形の遊技盤装着枠部９３が設けられており、この枠側面のヒンジ側に係止片９４，９４が形成されている。係止片９４，９４は、遊技盤１５の係止溝９２，９２に嵌って装着後の遊技盤１５を固定する。
【００３５】
本体枠１３に遊技盤１５を装着する場合、図１２に示すように、遊技盤装着枠部９３の係止片９４，９４に遊技盤１５の係止溝９２，９２を合わせ、遊技盤１５の一方の側端（固定端）を係止片で支持する。この状態から、図１２（Ａ）矢印に示すように、遊技盤１５の他方の側端（自由端）を本体枠１３側へ回動させて、遊技盤装着枠部９３に収める。  
【００３６】
次に、遊技機１０の取手構造について説明する。
遊技機１０は、コーナ飾り９１ｄの下端部に取手８０が設けられている。図２および図３に示す取手８０の［Ｙ］部分の拡大図をそれぞれ図１３および図１４に示した。
【００３７】
コーナ飾り９１ｄの下端部には、下向きコの字形の切り欠きＪが設けられる。この切り欠きＪの空間上方に向けて袋状の取手８０が開口している（開口部Ｊ１：図１５参照）。切り欠きＪの空間には、コーナ飾り９１ｄの下端面に沿って補強部材８５が架け渡されている。
【００３８】
図１５に示すように、取手８０は、天板８１、幕板８２および側板８３，８３を備えている。これらの板は、コーナ飾り９１ｄと一体的に形成される。天板８１と側板８３，８３は、コーナ飾り９１ｄの内側に隠れるが、幕板８２は、コーナ飾り９１ｄの正面パネルに連なって露出している。
【００３９】
天板８１、幕板８２および側板８３，８３とベース板２１の盤面とで囲まれる空間には、指掛収容部Ｊ２が形成される。すなわち、取手８０は、開口部Ｊ１から遊技盤１５の盤面に沿って指掛収容部Ｊ２が延びる袋状の構成となっている。
【００４０】
補強部材８５は、コーナ飾り９１ｄと一体成形によって形成されるもので、その横断面がほぼ正方形の角柱形状をもつ。コーナ飾り９１ｄの切り欠きＪ付近のパネル面は、補強部材８５によってその曲げ強度が高められ、反りや撓みが生じにくくなっている。
【００４１】
図１５に示すように、補強部材８５の盤面前後方向の厚みＤ１は、コーナ飾り９１ｄの厚みＤ２よりも小さく、その半分程度に設定される。コーナ飾り９１ｄの前面側から補強部材８５を見ると、コーナ飾り９０ｄの前面よりも補強部材８５が凹んだ位置にある。この結果、この凹みが取手８０に手指を挿入する際の逃げ空間Ｊ３になる。つまり、取手８０の指掛収容部Ｊ２に手指を挿入する際に、この逃げ空間Ｊ３によって補強部材８５に指先が触れにくくなり、その存在を気にすることなく、遊技盤の持ち運び等の作業を行える。
【００４２】
幕板８２の先端８２ａは、アール面取りが施される（図１６（Ａ）参照）。これにより、作業者が取手８０を使用する際に、先端８２ａに手指を当てた状態でも、取手８０に押し上げる力をかけやすくなる。
補強部材８５の角部８３ａについても、同様にアール面取りが施されている（図１６（Ｂ）参照）。万一、切り欠きＪの空間で手指が補強部材８５に触れても、補強部材８５の角部８３ａに引っ掛かることはない。
【００４３】
取手８０を使用する場合、切り欠きＪの空間に手指を持っていき、開口部Ｊ１から指掛収容部Ｊ２に向けて手指を差し込む。このとき、図１７に示すように、幕板８２と天板８１とに手指を当てた状態にし、力を上方にかけることで、遊技盤１５が上方に持ち上がる。また、力を図１７で左右にかけることで、遊技盤１５が前後に移動する。
【００４４】
このように遊技機１０によれば、遊技盤１５の荷重を取手８０によって簡単かつ確実に支えることができ、遊技盤１５の交換・運搬等の作業を容易に行うことが可能になる。
また、コーナ飾り９１ｄの内側の空間を利用して袋状の取手８０を形成するため、取手８０に邪魔されることなく、遊技盤面を広く有効に利用することができる。
また、コーナ飾り９１ｄの他に、取手形成のための専用の部品を追加する必要がないため、コスト面、組み立ての手間の面でも有利になる。
【００４５】
さらに、図１２に示すように、遊技機１０の本体枠１３に遊技盤１５を回動させつつ装着する場合には、取手８０が遊技盤１５の自由端側にあるため、係止片９４に係止溝９２を係止した状態で、遊技盤１５の荷重を支えやすい。また、指掛収容部Ｊ２に手指を差し入て遊技盤１５を前後方向（図１２で上下方向）に動かしやすいので、遊技盤１５の回動操作がスムーズになり、遊技盤装着枠部９３への遊技盤の脱着作業が極めて簡単になる。
【００４６】
さらに、遊技機１０の取手構造では、遊技盤１５の切り欠きＪの位置から取手８０の位置を知ることができるため、作業者が取手８０を探す手間が省ける。
また、切り欠きＪの間に手指が収まるので、遊技盤１５の幅方向に手指が大きくズレるようなこともない。
【００４７】
さらに、遊技機１０の取手８０は、次のようなコネクタ構造の抜き差し操作を容易にするという付随的な効果も得ることができる。
すなわち、図２７に示すように、遊技盤１５の背面には、集合樋６１上にコネクタ８４が設けられる。コネクタ８４には、遊技盤１０の裏面の基板ボックス６２に収納された主制御基板と、基板ボックス６２の前方の副制御基板ボックスに収納された副制御基板とが配線接続されている。一方、コネクタ８５には電源基板、払出制御基板、スピーカ等の本体枠１３に装着された回路基板や電装品が配線接続されている。そして、遊技盤１０を本体枠１３に前方から装着すると、その装着操作に伴って、コネクタ８４とコネクタ８５とが接続されて、遊技盤１５側と本体枠１３側とが電気的に接続される（図１７参照）。
【００４８】
取手８０とコネクタ８４との位置関係は、コネクタ８４のベース板２１を挟んで概ね前方位置に取手部８０が設けられている。すなわち、取手８０を前後に動かしたときに、その力がコネクタ８４に作用しやすい位置関係にある。
【００４９】
本体枠１３から遊技盤１５を取り外す場合、取手８０に手指を掛けて遊技盤１５を支えるとともに、取手８０を前方に引っ張ると、その力でコネクタ８４も前方に引っ張られる。これにより、図１８に示すように、本体枠１３のコネクタ８５から遊技盤１５のコネクタ８４が簡単に外れる。また、本体枠１３に遊技盤１５を取り付ける場合には、取手８０に指を掛けて遊技盤１５を支えるとともに、取手８０を後方に押し込むと、コネクタ８４も後方に押されて副制御装置のコネクタ８５に容易に差し込むことができる。
【００５０】
以上、遊技機１０の取手構造を説明したが、本発明の実施形態はこれに限定されることなく、必要に応じて、その構成の変更を伴ってもよい。
例えば、前記実施形態では、袋状の取手８０をコーナ飾り９１ｄの下端部に設けているが、その側端部に設けてもよい。また、コーナ飾り９１ａ〜９１ｃの上下端部や左右端部に設けることも可能である。
また、前記実施形態では、取手８０の幕板８２の下端を水平直線状に形成しているが、この下端形状を上向きアーチ状にして手指が収まりやすくしてもよい。
さらに、遊技盤１５のコネクタ８４，８５は、必要に応じてその位置を変更してもよい。
【００５１】
［その他の発明］
次に、遊技機１０に採用されている他の発明について説明する。遊技機１０には、前述した取手構造に関する発明の他、各所に複数の発明が適用されている。
【００５２】
［他の発明１：セル画シートの除電構造］
一般に、パチンコ機等の遊技盤は、ベニア板等からなる盤面にセル画シートが貼られている。セル画シートは、透明フィルムに印刷された画により遊技盤面を装飾するもので、その中には金属光沢を有するセル画シートがある。そのようなセル画シートは、例えば、ＰＥＴ（ポリエチレンテレフタレート）、キャブロイドなどの透明フィルムに装飾用の図柄を印刷し、これにアルミ箔（金属層）を貼り付け、さらに、この金属層に接着剤で裏打ち紙を貼り付けて形成されている。そして、このような金属層による光の反射によって、印刷された図柄や背景にメタリックな風合いが加味され、遊技領域に独特の趣を醸し出す。
【００５３】
ところが、このようなセル画シートは、遊技時にその金属層に静電気を帯びやすく、これが原因で遊技球が役物や釘等に接触した際にスパークし、各種制御装置の誤動作を招く電磁波ノイズを引き起こしやすい。
【００５４】
そこで、本発明の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、
前記セル画シートに打ち込まれてその金属層に接触する貫入部と、
前記貫入部に連なって前記遊技盤表面に露出し、前記遊技盤周囲の所定のアース端子に接触する中継部とを備える構成とした。
【００５５】
本発明の遊技機によれば、遊技盤の表面に除電金具を打ち込むと、その貫入部がセル画シートを貫いてシート内部の金属層に接触する。一方、除電金具の中継部は、遊技機に設置される既存のアース端子（例えばガラス枠の骨格鉄板）に接触する。これにより、セル画シートの金属層が除電金具を介してアースされることになり、金属層に静電気が発生しても、直ちにその電荷を外部へ逃がすことが可能になる。
【００５６】
また、本発明の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、前記セル画シートに打ち込まれてその金属層に接触する貫入部を有しており、かつ、この前記貫入部が板刃であるとよい。
【００５７】
このような構成によれば、セル画シートに板刃状の除電金具を打ち込むため、セル画シートがその刃先で分断され、下方に押し込まれた透明フィルム層が周面を覆ったり、削り屑が生じることがなく、板刃側面が金属層に接触しやすくなる。また、板刃と金属層との接触面積が大きくなるため、広い導電通路を確保することができる。なお、前記板刃には、鋸切り刃、ナイフ刃の他、弧状または筒状の刃も含む。
【００５８】
以下、本発明の具体例を遊技機１０の構成に基づいて説明する。
外レールユニット２２Ａの裏面側であって、図５および図６［Ｚ］部分に示す外レール終端部の拡大図を図１９（Ａ）および（Ｂ）に示した。
図１９（Ａ）に示すように、外レール終端付近の裏面は、除電金具５０を取り付けるための台座４０になっており、この台座４０に除電金具５０が所定の向きにセットされる。台座４０とベース板２１との間に除電金具５０がセル画シートと接触した状態で挟まれることになる。
【００５９】
図２０に示すように、台座４０は、ユニット前面パネル４１に立ち上げられたボス３１ａ、仕切壁４４、４５、４６等から構成される。ボス３１ａは、外レール始端付近でベース板２１に外レールユニット２１Ａをネジ固定するためのボスである。
ボス３１ａおよび仕切壁４４、４５、４６は、図２０で上端面が均一の高さに統一されており、これらの端面で除電金具５０を支持するようになっている。
【００６０】
台座４０のボス３１ａの両側には一対の支持ピン４８が形成される（図１９参照）。これらの支持ピン４８の先端は、ボス３１ａの上端面（除電金具５０の支持面）よりの高い位置まで突出し、支持ピン４８間で除電金具５０を挟めるようになっている。
【００６１】
ユニット側面パネル４２と仕切壁４４との間には、後述する除電金具５０の凸折り部（屈曲面）の収納スペースが設けられる。この収納スペースは、ユニット前面パネル４１に開口する小窓Ｗ（図２０参照）により遊技盤１５の前面側に開放されている。
【００６２】
図２１および図２２に示すように、除電金具５０は、金属製の帯板を折り曲げて形成されるもので、その平板部５１の一端に斜め折り部５２を有し、他端に縦折り部５３および横折り部５４が連なっている。横折り部５４のほぼ中間位置には断面Ｕ字形の凸折り部５５が設けられる。
【００６３】
平板部５１にはネジ穴Ｈ１が形成される。ネジ穴Ｈ１は、台座４０に除電金具５０をセットしたときにボス３１ａのネジ穴Ｈ２と重なる位置にある（図２０参照）。すなわち、これらのネジ穴Ｈ１およびＨ２に同時に固定ネジを通せるようになっている。
【００６４】
ネジ穴Ｈ１の周方向にはその穴面に沿って鋸歯状の板刃５８が連なっている。図２３に示すように、板刃５８の板面は、ささくれ状になってネジ穴Ｈ１の外側（ネジ穴軸方向）に向いており、その先端は鋸歯状に分断され、鋭角の刃先が環状に並ぶ。なお、このようなささくれ状の板刃３１ａは、例えば平板部５１の板面に先端十字形の穴あけ工具等を突き刺すことで形成することができる。
【００６５】
平板部５１のネジ穴Ｈ１を挟んだ両側端には円弧溝Ｋ１およびＫ２が形成される。図２４に示すように、これらの円弧溝Ｋ１とＫ２との距離は、前述の支持ピン４８，４８の間の距離にほぼ等しい。この結果、支持ピン４８，４８の間に円弧溝Ｋ１とＫ２を合わせることで、台座４０に除電金具５０を仮止めすることができる。また、仮止めによってボス３１ａのネジ穴Ｈ２と、平板部５１のネジ穴Ｈ１とを簡単に位置合わせすることができる。
【００６６】
図２５に示すように、斜め折り部５２は、除電金具５０の長さ方向に対しほぼ４５゜の角度で折り曲げられる。斜め折り部５２の外側面には、ドーム形の凸部５２ａが形成されている。台座４０に除電金具５０をセットすると、仕切壁４６と案内レールＲとの間の隙間に斜め折り部５２が収まり、凸部５２ａが案内レールＲに接触する。すなわち、この凸部５２ａと案内レールＲとの接触により、案内レールＲと除電金具５０との導電通路が確保されることになる。
【００６７】
縦折り部５３および横折り部５４は、平板部５１に対してそれぞれほぼ垂直および平行な折り曲げ角をなしている。縦折り部５３の長さは、ユニット側面パネル４２と仕切壁４４との間の収納スペースの深さにほぼ一致する。この結果、図２０に示すように、収納スペースの底位置まで縦折り部５３を挿入することができ、このとき、横折り部５４の板面が収納スペースの底面（ユニット前面パネル４１の裏面）に重なる。
【００６８】
縦折り部５３および横折り部５４のそれぞれの折曲線付近には、矩形の貫通穴Ｓ１、Ｓ２が形成される（図２１参照）。これらの貫通孔Ｓ１、Ｓ２は、除電金具５０の板面の歪みを吸収する役割を果たす。
また、貫通孔Ｓ１は、図２０に示すように、仕切壁４４の突起４４ａに嵌まり、台座４０への除電金具５０の取付状態を安定させる。
【００６９】
凸折り部５５は、横折り部５４の板面にほぼ垂直に立ち上げられており、台座４０に除電金具５０をセットしたとき、その凸折り部５５がユニット前面パネル４１の小窓Ｗに嵌る（図２０参照）。遊技盤１５の正面からレールユニット２２のレール終端付近を見ると、ユニット前面に凸折り部５５が突出した状態となる（図１および図２参照）。
【００７０】
図１に示すように、ガラス枠１４の背面側には、フレーム骨格となる鉄板が露出しており、この鉄板の一部を折り曲げて舌片状のアース端子５９が形成される。アース端子５９は、ガラス枠１４のフレーム骨格（金属部）を含む遊技機１０の既存のアース配線によって接地される。図１に示す遊技機１０の開放状態から、ガラス枠１４を本体枠１３側に閉じると、アース端子５９が除電金具５０の凸折り部５５に接触し、除電金具５０がアース配線に接続される。
【００７１】
除電金具５０とアース端子５９との接触は、ガラス枠の閉鎖時にアース端子５９に凸折り部５５が押されて撓むことによって行われる。このため、アース端子５９の金属面に凸折り部５５の屈曲面が弾性変形して密着する格好となり、その接触状態が良好に保たれる。
【００７２】
次に、遊技機１０による静電気の除電作用について説明する。
ベース板２１にレールユニット２２を固定する場合、台座部４０に除電金具５０をセットし、ボス３１ａにネジを通してベース板２１に締め込むと、図２６に示すように、ネジＮによってレールユニット２２全体がベース板２１に向かって押し付けられ、同時にボス３１ａとベース板２１との間に挟まれた除電金具５０の板刃５８がセル画シートＬを突き破ってベース板２１に刺さる。そして、板刃５８の側面がセル画シートＬの金属層Ｌ３に接触し、金属層Ｌ３をアースすることになる。なお、図２６に示すセル画シートＬにおいて、最下層Ｌ１は裏打ち紙層、第２層Ｌ２は接着材層、第３層Ｌ３はアルミ箔等の金属層、第４層Ｌ４はインク層、最上層Ｌ５（表面層）は透明フィルム層を示している。
【００７３】
このように遊技機１０によれば、セル画シートＬの金属層Ｌ３が板刃５８を介して除電金具５０に接触し、アースされるまでの経路を形成するため、金属層Ｌ３に静電気が帯電しても、除電金具５０から前述のアース端子を通して静電気が直ちに外部に放出される。この結果、遊技機１０に静電気による電磁波ノイズが発生しにくく、制御装置等の誤動作を未然に防止することができる。
【００７４】
また、遊技機１０は、板刃５８の刃先をセル画シートＬに差し込んで金属層Ｌ３と接触する構成であるため、セル画シートＬの各層が板刃５８と一緒にベース板２１の下方に押し込まれにくい。これにより、除電金具５０と金属層Ｌ３とが他の層に邪魔されることなく確実に接触し、導電通路の信頼性が高まる。
【００７５】
また、除電金具５０のネジ穴Ｈの穴面に沿って板刃５８を立ち上げているので、除電金具５０をネジＮで固定する際に同時に板刃５８をセル画シートＬに差し込むことができ、除電金具５０の取り付けの手間も少ない。
【００７６】
また、前述したように、除電金具５０はその斜め折り部５２で金属製の案内レールＲとも接触しているので、例えば発射球が帯電しているような場合に案内レールＲが静電気を帯びても、このような静電気を同時に除去することができる。
さらに、除電金具５０は、帯板材を折り曲げて形成する簡単な構成であるため、製造コストも比較的少なくて済む。
【００７７】
なお、本実施形態は、必要に応じて、その構成部分の変更を伴ってもよい。例えば前記実施形態では除電金具５０を外レールユニット２２Ａに取り付けているが、これに代えて、中間レールユニット２２Ｂや内レールユニット２２Ｃに取り付けるようにしてもよい。また、除電金具５０の板刃５８は、ネジ穴Ｈ１の穴面に沿って環状に複数並んでいるが、これらは必ずしも全て設ける必要はなく、歯抜け状の板刃にしたり、歯無しの筒状板刃の構成にしてもよい。また、除電金具５０の板刃は、筒状に限定されるものではなく、平板状であってもよい。
【００７８】
［他の発明２：遊技盤の共締め構造］
前記実施形態のように遊技盤１５にレールユニット２２を有するタイプの遊技機では、ベース板２１にレールユニット２２を固定するための圧入ピンの数が多くなりやすい。このため、ベース板２１にレールユニット２２を固定する際の作業工程が煩雑だったり、固定装置の大型・複雑化を招くといった問題が生じることがある。
【００７９】
一方、遊技盤の背面には、通常、遊技球を回収するための集合樋が取り付けられる。集合樋は、ベース板の背面にネジ等で固定されるのが一般的である。
【００８０】
前述したような問題点を解決するため、本発明は、レールユニットの固定手段と、集合樋の固定手段を兼用する点に着目した。
すなわち、本発明の遊技機は、ベース板の前面にレールユニット、背面に集合樋を固定する遊技盤を備えた遊技機において、  
前記ベース板の所定位置に貫通孔を形成し、前記レールユニットおよび前記集合樋をそれぞれ前記貫通孔に位置合わせしてネジで共締めする構成とした。
【００８１】
このような構成によれば、レールユニットの固定ネジと、集合樋の固定ネジとが共通化されるため、両者の固定作業を同時に行うことができ、作業工程が大幅に簡略化される。また、レールユニットを固定するための専用の圧入ピンやネジの本数を減らすことができるため、固定装置の大型・複雑化を招きにくくなる。
【００８２】
具体例を実施形態で示すと、レールユニット２２は、外レールユニット２２Ａの下部であって、その側端付近に上下に２箇所のボスＢ１（図６参照）、また、中間レールユニット２２Ｂの下部であって、その側端付近に上下に２箇所のボスＢ１が形成されている（図９および図１０参照）。
【００８３】
図２７および図２８に示すように、ベース板２１の背面下部には集合樋６１および基板ボックス６２が固定されており、このうち、集合樋６１の四隅部にボスＢ１と等しい間隔を保って４つのボスＢ２が形成されている。
【００８４】
図２９に示すように、ベース板２１の下部には、前述のボスＢおよびＢ２に一致する位置に貫通孔Ｔが形成される。
ベース板２１にレールユニット２２と集合樋６１とを固定する場合、ベース板２１を挟んで貫通孔Ｔに両者のボスＢおよびＢ２を位置合わせし、ネジ６３によって共締めする。
【００８５】
このようにベース板２１にレールユニット２２と集合樋６１とを共締めすることにより、これらの固定作業が簡略化される。また、レールユニット２２の圧入ピン３２ａ〜３２ｈ（図６、図１０参照）が比較的少ない本数で済み、ベース板２１にレールユニット２２を圧入するための固定装置の小型化が行いやすく、固定装置への位置合わせ等の作業が簡単になる。
【００８６】
［他の発明３：保護カバーの開閉機構］
遊技盤の外レール始端付近には、ファール球（落下球）と発射球とが衝突した弾みで正面ガラスに当たるのを防止するために保護カバーが設けられることがある。通常は、レール面に対し保護カバーをほぼ垂直に立てて保持し、一方、レール面を掃除するときには、保護カバーを取り外すか、または、可撓性材料からなる保護カバーを折り曲げてレール面を覗けるようにしている。
しかしながら、このような従来の保護カバーは、一旦保護カバーを取り外すと、その取り付けが面倒である。また、保護カバーを折り曲げた状態では、掃除の際に保護カバーが邪魔になりやすい。
【００８７】
前記問題点を解決するため、本発明の遊技機は、遊技盤の外レール始端付近に、レール面を覆う保護カバーを有する遊技機において、
前記保護カバーは、前記遊技盤の正面側に支軸により開閉可能に支持されており、かつ、前記保護カバーの開閉軸付近に、前記保護カバーの開閉角度を規制する係止爪を備える構成とした。
【００８８】
このような構成によれば、保護カバーが前記遊技盤の正面側に支軸によって開閉可能に支持されるため、その開閉操作を簡単に行える。また、係止爪で保護カバーの開放角度を一定に保っておくことができるため、レール面を掃除する際に、保護カバーが邪魔になりにくい。
【００８９】
具体例を本実施形態で示すと、図３０に示すように、外レールユニット２２Ａのレール始端付近に保護カバー７０が取り付けられる。保護カバー７０は、ガラス枠１４の内側であって、案内レールＲを覆う位置に取り付けられている。
【００９０】
図３１および図３２に示すように、保護カバー７０は、透明なプラスチック材料からなり、案内レールＲの弧状のレール面に沿って帯状に延びている。保護カバー７０の下端には支軸７１，７１が一体形成される。支軸７１，７１が外レールユニット２２Ａの軸受７４（図３０参照）に嵌って回動することで、保護カバー７０が遊技盤１５の正面側に開閉する。
【００９１】
保護カバー７０の下端には、２個の平行な開放スリットの間にバネ板７２が形成される。このバネ板７２の先端であって、保護カバー７０の開閉軸付近に係止爪７３が形成されている。
【００９２】
図３３は、外レールユニット２２Ａから保護カバー７０を取り外した状態を示している。外レールユニット２２Ａの保護カバー取り付け部には、保護カバー７０の支軸７１，７１と等間隔に軸受７４，７４が配置される。軸受７４，７４は、有底筒状になっており、これらの開放筒端から軸方向に支軸７１，７１をズラして挿入する。
【００９３】
軸受７４，７４の間には突起７５が形成される。外レールユニット２２Ａに保護カバー７０を取り付けると、突起７５の傾斜面が保護カバー７０の係止爪７３に当たる。
【００９４】
通常時、図３４に示すように、係止爪７３は、その膨出部７３ａのレール面に近い端面（図３４（Ａ）で右下端面）が突起７５の傾斜面に当たって保護カバー７０をレール面に対しほぼ垂直な状態に保つ。
保護カバー７０の上端部を手で持って外側に開くと、図３４（Ｂ）に示すように、膨出部７３ａが突起７５の傾斜面を上るようにズレながら回動し、バネ板７２を撓ませる。そして、保護カバー７０が一定角度まで開くと、膨出部７３ａと突起７５との接触面が切り替わってバネ板７２の撓みが開放され、膨出部７３ａの反対側の端面（図３４（Ａ）で左下端面）が突起部７５の傾斜面に当たって、保護カバー７０の開放角度を保持する（図３４（Ｃ）参照）。
【００９５】
このように本実施形態によれば、保護カバー７０が支軸７１により開閉自在に支持されるため、その開閉操作が簡単になる。また、保護カバー７０の開閉角度が係止爪７３で規制されるため、保護カバー７０を開けたまま片手でも容易にレール面の掃除を行うことができる。
さらに、保護カバー７０の開放角度を起立状態から９０゜未満の範囲に制限することで、保護カバー７０の閉め忘れにも対応することができる。すなわち、上記範囲では、保護カバー７０を開けたままガラス枠１４を締めても、そのガラス板で保護カバー７０が押され、バネ板７２のバネ効果により起立状態（図３４（Ａ））に戻る。この結果、遊技機のメンテナンスも安心して行える。
【００９６】
［他の発明４：レールユニットの角取り］
前述したように、遊技機１０は、本体枠１３の開口部（遊技盤装着枠部９３）に、本体枠１３の前方から遊技盤１５を差し入れて遊技盤１５を装着する構成になっている。一方、前記実施形態の遊技機は、遊技盤１５のベース板２１にレールユニット２２の前面部を構成するコーナ飾りが一体的に設けられている。
このようにベース板にコーナ飾りが一体的に固定されると、コーナ飾りの厚みが邪魔になって本体枠の前方から遊技盤を差し入れて取り付ける作業が行いにくくなることがある。特に、遊技機のヒンジ側のコーナ飾りは、本体枠の枠面にぶつかりやすく、取り付け作業の障害となりやすい。
【００９７】
本発明の遊技機は、本体枠の開口部に、本体枠の前方から遊技盤を差し入れて遊技盤を装着する構成を備えた遊技機において、
前記遊技盤のベース板の前面部に取り付けられるコーナ飾りを有し、
前記コーナ飾りの側端部のうち、少なくとも前記遊技機のヒンジ側に向いた側端部に、後部から前部に向けて前記ベース板の側端から逃げるように内側に傾斜する角取り面を設ける構成とした。
【００９８】
このような構成によれば、コーナ飾りの側端部に角取り面が設けられるため、本体枠の開口部に遊技盤の側端を近づけても、コーナ飾りが本体枠の枠面にぶつかりにくくなる。これにより、コーナ飾りが邪魔になることなく、本体枠にスムーズに遊技盤を取り付けることができる。
【００９９】
具体例を実施形態で示すと、図２に示すように、遊技盤１５には、ベース板２１上にレールユニット２２が固定されており、その四隅部にコーナ飾り９１ａ〜９１ｄが一体的に形成されている。各コーナ飾り９１ａ〜９１ｄは、上下および左右で互いに連なっており、遊技領域Ｐの外側の盤面をほぼ全面覆っている。
遊技盤１５のヒンジ側のコーナ飾り９１，９１には、係止溝９２，９２が形成される。
【０１００】
図１１に示すように、遊技盤１５を装着するための本体枠１３には、遊技盤装着枠部９３が設けられており、この遊技盤装着枠部９３は、そのヒンジ側に係止片９４，９４を有している。係止片９４，９４は、遊技盤１５の係止溝９２，９２に嵌って装着後の遊技盤１５を固定する。
【０１０１】
図３０および図３１に示すように、ヒンジ側のコーナ飾り９１ａおよび９１ｂの側端部には角取り面９５が形成される。角取り面９５は、後部から前部に向けてベース板２１の側端から逃げるように遊技盤１５の前方（正面側）に向けて内側に傾斜している。
【０１０２】
遊技盤装着枠部９３への遊技盤１５の挿入時には、図３７に示すように、遊技盤装着枠部９３の枠面に対して遊技盤１５が斜めに傾きやすいが、コーナ飾り９１は、角取り面９５によって遊技盤装着枠部９３から離れた位置に保たれる。このため、コーナ飾り９１に邪魔されることなく、本体枠１３に遊技盤１５を取り付けることができる。
【０１０３】
なお、本実施形態のように、遊技盤装着枠部９３の係止片９４にコーナ飾り９１の係止溝９２を嵌め合わせる場合には、係止片９４に向き合う係止溝９２の溝側面にも角取り面９７（図３６参照）を形成することが望ましい。
このように係止溝９２に溝内に角取り面９７を形成することで、遊技盤装着枠部９３への遊技盤１５の挿入時に、図３７に示すように、係止片９４と角取り面９７との間にも十分な距離が保たれ（図３７参照）、係止片９４に係止溝９２を嵌め合わせやすくなる。
【０１０４】
［他の発明５：レールユニットの圧入ピン収納構造］
前記実施形態のように複数の圧入ピンを有するレールユニットは、レールユニットを積み重ねると、圧入ピンが隣り合うレールユニットに当たり、ユニット間に隙間を形成するため、嵩張りやすく、運搬や保管等の取り扱いが不便である。
【０１０５】
本発明の遊技機は、複数の圧入ピンを有するレールユニットを備えた遊技機において、このレールユニットの圧入ピンと反対側のユニット面に、隣り合う他のレールユニットの圧入ピンを収納可能な収納穴を設ける構成とした。
【０１０６】
このような構成によれば、レールユニットを積み重ねる際に、重なり合ったレールユニットの収納穴に圧入ピンを収納することで、ユニット間に隙間が少なくなる。この結果、レールユニットをコンパクトに積み重ねることができ、運搬・保管等の取り扱いが便利になる。
なお、本発明は、圧入ピンだけでなく、レールユニット背面に突出するボスなどの他の突出部に適用してもよい。
【０１０７】
本実施形態では、外レールユニット２２Ａに本発明を適用している。図６に示すように、外レールユニット２２Ａの背面には、レール面に沿って４つの圧入ピン３２ａ〜３２ｄが設けられる。また、ユニット下部にはボスＢ１が突出している。
これらの４つの圧入ピン３２ａ〜３２ｄの反対側すなわちレールユニット２２Ａの前面側には、収納穴１００ａ〜１００ｄ（図４参照）が設けられる。また、ボスＢ１の反対側の位置には収納穴１０１が設けられている。収納穴１００ａ〜１００ｄおよび１０１は、圧入ピン３２ａ〜３２ｄおよびボスＢ１とほぼ同軸線上にある。
【０１０８】
外レールユニット２２Ａを複数重ねると、図３８に示すように、これらの圧入ピン３２ａ〜３２ｄとボスＢ１が隣り合う外レールユニット２２Ａの収納穴１００ａ〜１００ｄおよび１０１に嵌まる。この結果、外レールユニット２２Ａの間の隙間がなくなり、コンパクトな形態で外レールユニット２２Ａの運搬や保管等を行うことができる。
【０１０９】
［他の発明６：レールユニットのロック機構］
従来、複数に分割されたレールユニット（外レールユニット、中間レールユニットおよび内レールユニット）は、取り扱いが容易な分割状態で運搬、保管され、遊技盤（ベース板）にそれぞれ組み付けられる。しかし、隣り合うユニットを、球の滑走、転動に支障がないようそれらの弧状のレール面を正確に一致させながら遊技盤（ベース板）に組み付けるのは面倒な作業であった。
そこで、前記実施形態に示す本発明では、複数に分割されたレールユニット（外レールユニット２２Ａ、中間レールユニット２２Ｂおよび内レールユニット２２Ｃ）を組み合わせて遊技領域を区画する構成を備えた遊技機おいて、分割された前記レールユニットのうち、少なくとも２以上のユニット同士（中間レールユニット２２Ｂ、内レールユニット２２Ｃ）を回動可能に軸支する構成とした。
【０１１０】
このような構成によれば、遊技盤（ベース板）の前面にレールユニットを組み付ける前に、レールユニットを運搬、保管等する場合、回動可能に軸支されたユニット同士を閉じてコンパクトな形態に折り畳むことができ、運搬、保管等に面倒がない。一方、遊技盤（ベース板）にレールユニットを組み付けるときには、回動軸を中心にユニット同士を回動させれば、遊技領域を区画する形状になるようにレールユニットを直ぐに展開することができ、かつ隣り合うユニットの弧状のレール面を容易に一致させて組み付けることができる。
【０１１１】
前記発明において、回動可能に軸支されたレールユニットの運搬、保管等の際には、ユニット同士を閉じた状態に保ってもガタ付きやグラ付きが生じることがある。また、レールユニットを遊技盤（ベース板）に組み付ける場合には、レールユニットを展開しつつ、これらのレール面（図３参照）を展開方向で容易に位置決めできればなおよい。
【０１１２】
そこで、本発明の遊技機を、当該２以上に分割された前記レールユニットを軸支する構成とした上で、前記レールユニットには互いにスライドしながら重なり合う重合部を形成し、これらの重合部に、回動軸を中心に前記レールユニットを閉じたときと、前記レールユニットのレール面が一致したときとにそれぞれ嵌合し合うロック爪およびロック穴を設ける構成とする。
【０１１３】
このような構成によれば、回転軸で軸支されたユニット同士を閉じる場合には、その重合部をスライドさせて、予め閉じ位置に設けたロック爪とロック穴とを嵌め合わせる。すると、ユニット同士が閉じたままロックされ、運搬等の取り扱いが容易になる。
また、レールユニットを展開する場合には、展開位置に設けたロック爪とロック穴とを嵌め合わせると、展開方向においても簡単かつ正確にユニット同士のレール面を一致させることができる。
【０１１４】
具体例を実施形態で示すと、遊技機１０のレールユニット２２は、外レールユニット２２Ａ、中間レールユニット２２Ｂ、および内レールユニット２２Ｃに分割されている。これらのユニットのうち、図３９に示すように、中間レールユニット２２Ｂと内レールユニット２２Ｃが連結ネジ２６（回転軸）で回動可能に軸支されている。中間レールユニット２２Ｂおよび内レールユニット２２Ｃには、連結ネジ２６のボス１１０、１１１が形成され、これらのボス１１０、１１１が互いに重なり合っている。
図４０に示すように、中間レールユニット２２Ｂのボス１１０にはロック穴Ｍ１、Ｍ２が開口している。一方、内レールユニット２２Ｃのボス１１１にはロック穴Ｍ１およびＭ２に嵌合可能なロック爪１１２が図４０で下向きに突出している。これらのロック穴Ｍ１、Ｍ２およびロック爪１１２は、連結ネジ２６の中心に対して同心円上にある。
【０１１５】
中間レールユニット２２Ｂと内レールユニット２２Ｃとを閉じる場合、ボス１１０とボス１１１とをスライドさせ、図４０に示すように、ロック穴Ｍ２にロック爪１１２が嵌るようにする。このとき、図４１に示すように、連結ネジ２６を中心として中間レールユニット２２Ｂと内レールユニット２２Ｃとが折り畳まれ、これらの運搬や保管に便利な形態になる。
【０１１６】
一方、図４０に示す状態から、連結ネジ２６の周りに内レールユニット２２Ｃを反時計回りに回動させると、重合部１１０，１１１がスライドし、図３９に示すように、ロック穴Ｍ１にロック爪１１２が嵌まる。同時に、中間レールユニット２２Ｂと内レールユニット２２Ｃのレール面が一致することになる。
【０１１７】
本実施形態では、図４２および図４３に示すように、中間レールユニット２２Ｂと内レールユニット２２Ｃの連結ネジ２６から離れた位置に重合片１１４，１１５を設け、これらの接触面にロック穴Ｍ３とロック爪１１６とをそれぞれ形成している。
例えば図４３の状態から、中間レールユニット２２Ｂと内レールユニット２２Ｃとを展開してレール軌道を形成する場合、連結ネジ２６の周りに内レールユニット２２Ｃを反時計回りに回動させると、重合片１１４，１１５がスライドし、ロック穴Ｍ３にロック爪１１６が嵌まって中間レールユニット２２Ｂと内レールユニット２２Ｃのレール面が一致し、図４２に示す状態となる。
このように中間レールユニット２２Ｂおよび内レールユニット２２Ｃにロック穴Ｍ１，Ｍ２，Ｍ３とロック爪１１２，１１６を採用することで、レールユニットの運搬、収納等の取り扱いが容易になり、かつ、レールユニットの展開時のレール面の位置合わせを簡単かつ正確に行うことができる。
【符号の説明】
【０１１８】
１０    遊技機
１２    外枠
１３    本体枠（基枠）
１４    ガラス枠
１５    遊技盤
１６    ヒンジ
２１    ベース板
２２    レールユニット
２５    連結ピン
２６    連結ネジ
３１ａ〜３１ｉ  ボス
３２ａ〜３２ｈ  圧入ピン
４０    台座
５０    除電金具
５１    平板部（中継部）
５８    板刃（貫入部）
６１    集合樋
７０    保護カバー
７１    支軸
７２    バネ板
７３    係止爪
７４    軸受
８０    取手
８１    天板
８２    幕板
８２    側板
８５    補強部材
Ｊ    切り欠き
Ｊ１  開口部
Ｊ２  指掛収容部
８４、８５    コネクタ
９１ａ〜９１ｄ  コーナ飾り
９２    係止溝
９３    遊技盤装着枠部
９４    係止片
９５，９７  角取り面
１００ａ〜１００ｄ  収納穴
１１２，１１６  ロック爪
Ｂ１，Ｂ２  ボス
Ｈ１，Ｈ２  ネジ穴
Ｌ    セル画シート
Ｍ１，Ｍ２，Ｍ３  ロック穴
Ｒ    案内レール
Ｒ１，Ｒ２  レール面
Ｗ    小窓
【図１】
2010148978.tif 000003
【図２】
2010148978.tif 000004
【図３】
2010148978.tif 000005
【図４】
2010148978.tif 000006
【図５】
2010148978.tif 000007
【図６】
2010148978.tif 000008
【図７】
2010148978.tif 000009
【図８】
2010148978.tif 000010
【図９】
2010148978.tif 000011
【図１０】
2010148978.tif 000012
【図１１】
2010148978.tif 000013
【図１２】
2010148978.tif 000014
【図１３】
2010148978.tif 000015
【図１４】
2010148978.tif 000016
【図１５】
2010148978.tif 000017
【図１６】
2010148978.tif 000018
【図１７】
2010148978.tif 000019
【図１８】
2010148978.tif 000020
【図１９】
2010148978.tif 000021
【図２０】
2010148978.tif 000022
【図２１】
2010148978.tif 000023
【図２２】
2010148978.tif 000024
【図２３】
2010148978.tif 000025
【図２４】
2010148978.tif 000026
【図２５】
2010148978.tif 000027
【図２６】
2010148978.tif 000028
【図２７】
2010148978.tif 000029
【図２８】
2010148978.tif 000030
【図２９】
2010148978.tif 000031
【図３０】
2010148978.tif 000032
【図３１】
2010148978.tif 000033
【図３２】
2010148978.tif 000034
【図３３】
2010148978.tif 000035
【図３４】
2010148978.tif 000036
【図３５】
2010148978.tif 000037
【図３６】
2010148978.tif 000038
【図３７】
2010148978.tif 000039
【図３８】
2010148978.tif 000040
【図３９】
2010148978.tif 000041
【図４０】
2010148978.tif 000042
【図４１】
2010148978.tif 000043
【図４２】
2010148978.tif 000044
【図４３】
2010148978.tif 000045
【手続補正書】
【提出日】平成22年4月23日(2010.4.23)
【手続補正１】
【補正対象書類名】明細書
【補正対象項目名】全文
【補正方法】変更
【補正の内容】
【発明の詳細な説明】
【技術分野】
【０００１】
本発明は、遊技機に関するもので、詳しくは、遊技盤の取手構造に関するものである。
【背景技術】
【０００２】
パチンコ機等の遊技機は、遊技盤の入れ替えや各種装置の修理などの際に、基枠に遊技盤を装着したり、また、基枠から遊技盤を取り外したりする作業を伴う。近年、図柄表示装置等が大型化され、これに応じて遊技盤の荷重も増加する傾向にある。
【０００３】
従来、このような遊技盤の運搬や交換等の作業を行いやすくするために、遊技盤に取手を設けるものがある。この種の取手構造としては、例えば、遊技盤の所定箇所に棒状の持ち手を突き出させるもの（特許文献２）、遊技盤から突き出た板片に手指の入る貫通穴を空けて取手とするもの（特許文献３）等が知られている。
【０００４】
しかしながら、このような従来の遊技機は、遊技盤の周辺に取手が大きく突き出す構成であるため、遊技盤の装着後に取手が邪魔になることがある。また、盤面の限られたスペースに取手を設けることが困難になる場合もある。
【０００５】
これに対し、特許文献１に示すように、遊技盤のコーナー飾りの一部を僅かに突き出させて、この突き出し部分を指で引っ掛けるようにした取手構造も知られるが、このような取手構造では、盤面のスペース的な節約は図れるが、突き出し部から指が滑りやすく、遊技盤の荷重が大きくなると、その運搬・交換等の作業が行いにくくなる。
【先行技術文献】
【特許文献】
【０００６】
【特許文献１】特開平９−２６２３５２号公報
【特許文献２】特開２００２−３３１０８１号公報
【特許文献３】特開２００３−１５４０８３号公報
【発明の概要】
【発明が解決しようとする課題】
【０００７】
本発明は、このような現状に鑑みなされたもので、遊技盤の盤面で取手が邪魔にならず、しかも、遊技盤の荷重を確実に支えることが可能な遊技機を提供することを目的としている。
【課題を解決するための手段】
【０００８】
請求項１に係る遊技機は、遊技盤の前面にその遊技領域の外側領域を埋める所定の厚みのコーナ飾りが設けられ、前記遊技盤の一方の側端を本体枠の係止部に引っ掛けて固定端とし、前記遊技盤の他方の側端を自由端として回動させて前記遊技盤を前記本体枠に装着するようにした遊技機であって、前記遊技盤の下部で、かつ前記遊技盤の自由端側に配置されたコーナ飾りの下端部に、前面に開口部を有し、前記開口部から前記遊技盤の盤面に沿って、下端部から上方側へ向って前記コーナ飾りの内側に指掛収容部が延びる袋状の取手が形成され、前記取手の後方位置であって、前記取手に対して前記遊技盤のベース板を挟んだ前記遊技盤の背面に、前記遊技盤の裏面に収納された制御基板に配線接続されたコネクタが配設され、前記取手を持って前記遊技盤の前記固定端を中心に前記自由端を前記本体枠へ向けて回動する装着操作に伴って、前記コネクタと前記本体枠に装着された回路基板及び電装品に配線接続されたコネクタとが接続されて前記遊技盤側と前記本体側とが電気的に接続される構成とされた、ことを特徴とする。
【０００９】
請求項１に係る遊技機によれば、コーナ飾りの内側に向けて取手の指掛収容部が延びるため、遊技盤の盤面に取手がほとんど露出しない。このため、盤面で取手が邪魔になりにくく、盤面を広く有効利用することができる。
また、コーナ飾りの厚みを利用することで、指掛収容部を奥行きのあるものにすることができるため、取手に手指を引っ掛けやすくなる。
さらに、コーナ飾りと取手を同一部品で一体的に形成することができるため、別途、取手用の部品を追加する必要がなく、コスト面、組み立ての手間の面でも負担が軽減される。
遊技機の本体枠に遊技盤を回動操作によって装着する際に、遊技盤の自由端側の袋状取手の指掛収容部に手指を差し入れて、その荷重を支えることができる。このため、遊技盤を回動方向に容易に引っ張ったり押したりすることが可能になり、本体枠への遊技盤の装着作業を極めて簡単にすることができる。
遊技盤の脱着時に、袋状の取手を持って遊技盤を前後に動かすと、その押し引きの力が取手部分からコネクタに作用しやすい。このため、本体枠から遊技盤を脱着する際に遊技盤を安定して支持できるとともに、コネクタの抜き差しも容易に行える。
【００１０】
【００１１】
また、遊技盤の下端部を袋状取手で持ち上げることができ、遊技盤の荷重を支えやすくなる。これにより、遊技盤の交換・持ち運び等の作業性が向上する。
【００１２】
【００１３】
【００１４】
【００１５】
【００１６】
【００１７】
コーナ飾りの端部に切り欠きを形成する場合、この切り欠き付近のパネル強度が低下しやすくなる。コーナ飾りに袋状取手を形成する場合には、このようなパネル強度低下を回避することが望ましい。
この対策として、切り欠き空間に補強部材を架け渡すようにすることが考えられるが、補強部材の形状・位置等によっては、取手に手指を掛けるときに、補強部材が邪魔になってしまい、遊技盤の交換・運搬の作業が行いにくくなる。
【００１８】
前記コーナ飾りの端部に、手指が収まる程度の広さの切り欠きを設け、この切り欠き空間に前記袋状取手の開口部および指掛収容部が連なり、前記切り欠き空間に補強部材を架け渡すとともに、この補強部材の前面側に、前記コーナ飾りの前面よりも凹む逃げ空間が設けられる構成とする。
【００１９】
このような構成によれば、コーナ飾りの切り欠き付近のパネル面が補強部材によって補強されるため、そのパネル面の反りや撓みなどの強度低下による影響を回避することができる。
また、補強部材の前面側に逃げ空間が設けられるため、切り欠きから取手に手指をかけるときに補強部材に触れにくくなる。このため、補強部材に邪魔されることなく、遊技盤の交換・運搬作業を快適に行うことができる。
【００２０】
【００２１】
【００２２】
【００２３】
【図面の簡単な説明】
【００２４】
【図１】本発明の実施形態による遊技機を示す斜視図である。
【図２】同遊技機の遊技盤を示す斜視図である。
【図３】本発明の実施形態によるレールユニットを示す正面図である。
【図４】同レールユニットの外レールユニットを示す正面図である。
【図５】同レールユニットの外レールユニットを示す背面図である。
【図６】同レールユニットの外レールユニットを示す背面斜視図である。
【図７】同レールユニットの中間レールユニットおよび内レールユニットを示す正面図である。
【図８】同レールユニットの中間レールユニットおよび内レールユニットを示す背面図である。
【図９】同レールユニットの中間レールユニットおよび内レールユニットを示す斜視図である。
【図１０】同レールユニットの中間レールユニットおよび内レールユニットを示す側面図である。
【図１１】同遊技機の遊技盤を取り外した状態を示す斜視図である。
【図１２】同遊技盤の本体枠に遊技盤を装着する方法を説明するための平面模式図である。
【図１３】同遊技盤の取手を示すもので、図２に示す［Ｙ］部分の拡大図である。
【図１４】同遊技盤の取手を示すもので、図３に示す［Ｙ］部分の拡大図である。
【図１５】同遊技盤の取手を示すもので、（Ａ）は縦断面図、（Ｂ）は横断面図である。
【図１６】同遊技盤の取手を示す部分拡大断面図である。
【図１７】同遊技盤の取手の使用状態を示す断面図である。
【図１８】同遊技盤の背面のコネクタを取り外した状態を示す断面図である。
【図１９】同レールユニットの図５および図６に示す［Ｚ］部分の拡大図である。
【図２０】図１９に示す［２０］−［２０］線断面図である。
【図２１】本発明の実施形態による除電金具を示す斜視図である。
【図２２】同除電金具の側面図である。
【図２３】同除電金具の板刃を示す部分拡大断面図である。
【図２４】同除電金具の取付状態を示すもので、（Ａ）は部分拡大平面図、（Ｂ）は部分拡大断面図である。
【図２５】同除電金具と案内レールとの接触状態を示す部分拡大平面図である。
【図２６】同除電金具の板刃の使用状態を示す拡大断面図である。
【図２７】本発明の実施形態による遊技盤を示す背面図である。
【図２８】同遊技盤の背面斜視図である。
【図２９】同遊技盤のレールユニットと集合樋との共締め構造を示す部分拡大断面図である。
【図３０】本発明の実施形態による遊技盤の外レール始端付近を示す部分拡大正面図である。
【図３１】同遊技盤の外レールの保護カバーを示す正面図である。
【図３２】同保護カバーの斜視図である。
【図３３】同保護カバーの取付部分の構成を示す斜視図である。
【図３４】同保護カバーの作用説明図である。
【図３５】同遊技盤の平面図である。
【図３６】同遊技盤のコーナ飾りを示す部分拡大斜視図である。
【図３７】同コーナ飾りの作用を説明するための模式断面図である。
【図３８】本発明の実施形態によるレールユニットを重ね合わせた状態を示す模式断面図である。
【図３９】同レールユニットの中間レールユニットおよび内レールユニットの連結部分の構成を示す拡大平面図である。
【図４０】同レールユニットの中間レールユニットおよび内レールユニットの連結部分の作用を説明するための拡大平面図である。
【図４１】同レールユニットの中間レールユニットと内レールユニットとを折り畳んだ状態を示す平面図である。
【図４２】同レールユニットの中間レールユニットと内レールユニットとの連結部分の構成を示す平面図である。
【図４３】同レールユニットの中間レールユニットと内レールユニットとの連結部分の作用を説明するための平面図である。
【発明を実施するための形態】
【００２５】
以下、本発明の実施の形態を図面に基づいて説明する。本実施形態は、パチンコ機に本発明を適用したものである。
図１に示すように、遊技機１０は、外枠１２に本体枠（基枠）１３およびガラス枠１４が取り付けられる。本体枠１３に形成された開口の前部には遊技盤装着枠部９３（図１１参照）が設けられ、この遊技盤装着枠部９３に遊技盤１５が脱着可能に取り付けられている。本体枠１３とガラス枠１４とはヒンジ１６により遊技機１０の正面側に開閉するようになっている。
【００２６】
遊技盤１５の下方には遊技球の発射用のハンドル１７が設けられる。ハンドル１７を操作すると、遊技球が発射レール１８に打ち出され、外レール１５ａと内レール１５ｂとの間の誘導通路を通って遊技盤１５の遊技領域Ｐに放出される。
【００２７】
図２に示すように、遊技領域Ｐには、遊技球の落下方向を規制する誘導釘（図示省略）が設けられ、これらの誘導釘の間に抽選図柄を表示する図柄表示装置３０、抽選図柄表示を開始させる始動口２７、一般入賞口２８、大当たり時に開閉して遊技球の入賞を促すアタッカ装置２９等が配置されている（図２参照）。
【００２８】
遊技盤１５は、ベニヤ等の板材からなるベース板２１と、プラスチック成形材からなるレールユニット２２とを備えている。遊技盤１５の盤面のうちレールユニット２２に囲まれる部分に遊技領域Ｐが仕切られる。遊技領域Ｐの盤面には、セル画シートが貼られており、そのシート面に図柄、文字、キャラクター、背景などの遊技を盛り上げる装飾印刷が施されている。遊技者は、ガラス枠１４（図１参照）を通して係る印刷面を見ることになる。
【００２９】
レールユニット２２は、外レールユニット２２Ａ、中間レールユニット２２Ｂ、および内レールユニット２２Ｃからなる。各レールユニット２２Ａ〜２２Ｃの遊技領域Ｐの外側には、ベース板１２の四隅部を覆うコーナ飾り９１ａ〜９１ｄ（図２参照）が一体形成されている。各コーナ飾り９１ａ〜９１ｄは、上下および左右で互いに連なっており、遊技領域Ｐの外側の盤面をほぼ全面覆っている。
【００３０】
外レールユニット２２Ａは、外レール始端付近から遊技盤１５の左側端部を通って遊技盤１５の上端部に達し、外レール終端付近まで延びる。中間レールユニット２２Ｂは、外レール終端付近から遊技盤１５の右側端部を通って下方に延び、遊技盤１５の下部中央付近まで延びる。そして、内レールユニット２２Ｃは、遊技盤１５の下部中央付近から外レールユニット２２Ａの内側面に沿って上方に延びる。
図３に示すように、外レールユニット２２Ａと中間レールユニット２２Ｂとは、連結ピン２５で連結されており、一方、中間レールユニット２２Ｂと内レールユニット２２Ｃとは、連結ネジ２６で連結されている。
【００３１】
図５および図６に示すように、外レールユニット２２Ａの裏面には、固定ネジを通すボス３１ａ〜３１ｆと、圧入ピン３２ａ〜３２ｄとが所定の間隔を保って形成される。
一方、図８〜図１０に示すように、中間レールユニット２２Ｂと内レールユニット２２Ｃの裏面には、固定ネジを通すボス３１ｇ〜３１ｉと、圧入ピン３２ｅ〜３２ｈとが所定の間隔を保って形成されている。
各レールユニット２２Ａ〜２２Ｃとベース板２１との取り付けは、これらのボス３１ａ〜３１ｉおよび圧入ピン３２ａ〜３２ｈを、予めベース板２１に形成された固定穴に位置合わせし、固定ネジおよび圧入ピン３２ａ〜３２ｈで止めることにより行われる。
【００３２】
図５に示すように、外レールユニット２２Ａのレール長さ方向には、その内周面に沿って金属製の案内レールＲが取り付けられる。案内レールＲのレール面に遊技球が転がり、外レールユニット２２Ａの内周面は遊技球に直接触れることがない。
なお、このような金属製の案内レールＲは、外レールユニット２２Ａのみに採用され、中間レールユニット２２Ｂおよび内レールユニット２２Ｃには採用されない。すなわち、通常の遊技状態では、中間レールユニット２２Ｂおよび内レールユニット２２Ｃのレール面には遊技球の接触する頻度が少ないため、これらのユニット２２Ｂおよび２２Ｃでは、遊技領域Ｐを仕切る樹脂成形面（内周面）がそのまま遊技球のレール面として用いられる。
【００３３】
遊技盤１５のヒンジ側のコーナ飾り９１ａ，９１ｂには、係止溝９２，９２が形成される（図２参照）。これらの係止溝９２，９２は、後述する本体枠１３の係止片９４，９４に嵌まる溝幅および溝長さをもつ。
【００３４】
図１１に示すように、本体枠１３には、矩形の遊技盤装着枠部９３が設けられており、この枠側面のヒンジ側に係止片９４，９４が形成されている。係止片９４，９４は、遊技盤１５の係止溝９２，９２に嵌って装着後の遊技盤１５を固定する。
【００３５】
本体枠１３に遊技盤１５を装着する場合、図１２に示すように、遊技盤装着枠部９３の係止片９４，９４に遊技盤１５の係止溝９２，９２を合わせ、遊技盤１５の一方の側端（固定端）を係止片で支持する。この状態から、図１２（Ａ）矢印に示すように、遊技盤１５の他方の側端（自由端）を本体枠１３側へ回動させて、遊技盤装着枠部９３に収める。
【００３６】
次に、遊技機１０の取手構造について説明する。
遊技機１０は、コーナ飾り９１ｄの下端部に取手８０が設けられている。図２および図３に示す取手８０の［Ｙ］部分の拡大図をそれぞれ図１３および図１４に示した。
【００３７】
コーナ飾り９１ｄの下端部には、下向きコの字形の切り欠きＪが設けられる。この切り欠きＪの空間上方に向けて袋状の取手８０が開口している（開口部Ｊ１：図１５参照）。
切り欠きＪの空間には、コーナ飾り９１ｄの下端面に沿って補強部材８５が架け渡されている。
【００３８】
図１５に示すように、取手８０は、天板８１、幕板８２および側板８３，８３を備えている。これらの板は、コーナ飾り９１ｄと一体的に形成される。天板８１と側板８３，８３は、コーナ飾り９１ｄの内側に隠れるが、幕板８２は、コーナ飾り９１ｄの正面パネルに連なって露出している。
【００３９】
天板８１、幕板８２および側板８３，８３とベース板２１の盤面とで囲まれる空間には、指掛収容部Ｊ２が形成される。すなわち、取手８０は、開口部Ｊ１から遊技盤１５の盤面に沿って指掛収容部Ｊ２が延びる袋状の構成となっている。
【００４０】
補強部材８５は、コーナ飾り９１ｄと一体成形によって形成されるもので、その横断面がほぼ正方形の角柱形状をもつ。コーナ飾り９１ｄの切り欠きＪ付近のパネル面は、補強部材８５によってその曲げ強度が高められ、反りや撓みが生じにくくなっている。
【００４１】
図１５に示すように、補強部材８５の盤面前後方向の厚みＤ１は、コーナ飾り９１ｄの厚みＤ２よりも小さく、その半分程度に設定される。コーナ飾り９１ｄの前面側から補強部材８５を見ると、コーナ飾り９０ｄの前面よりも補強部材８５が凹んだ位置にある。この結果、この凹みが取手８０に手指を挿入する際の逃げ空間Ｊ３になる。つまり、取手８０の指掛収容部Ｊ２に手指を挿入する際に、この逃げ空間Ｊ３によって補強部材８５に指先が触れにくくなり、その存在を気にすることなく、遊技盤の持ち運び等の作業を行える。
【００４２】
幕板８２の先端８２ａは、アール面取りが施される（図１６（Ａ）参照）。これにより、作業者が取手８０を使用する際に、先端８２ａに手指を当てた状態でも、取手８０に押し上げる力をかけやすくなる。
補強部材８５の角部８３ａについても、同様にアール面取りが施されている（図１６（Ｂ）参照）。万一、切り欠きＪの空間で手指が補強部材８５に触れても、補強部材８５の角部８３ａに引っ掛かることはない。
【００４３】
取手８０を使用する場合、切り欠きＪの空間に手指を持っていき、開口部Ｊ１から指掛収容部Ｊ２に向けて手指を差し込む。このとき、図１７に示すように、幕板８２と天板８１とに手指を当てた状態にし、力を上方にかけることで、遊技盤１５が上方に持ち上がる。また、力を図１７で左右にかけることで、遊技盤１５が前後に移動する。
【００４４】
このように遊技機１０によれば、遊技盤１５の荷重を取手８０によって簡単かつ確実に支えることができ、遊技盤１５の交換・運搬等の作業を容易に行うことが可能になる。
また、コーナ飾り９１ｄの内側の空間を利用して袋状の取手８０を形成するため、取手８０に邪魔されることなく、遊技盤面を広く有効に利用することができる。
また、コーナ飾り９１ｄの他に、取手形成のための専用の部品を追加する必要がないため、コスト面、組み立ての手間の面でも有利になる。
【００４５】
さらに、図１２に示すように、遊技機１０の本体枠１３に遊技盤１５を回動させつつ装着する場合には、取手８０が遊技盤１５の自由端側にあるため、係止片９４に係止溝９２を係止した状態で、遊技盤１５の荷重を支えやすい。また、指掛収容部Ｊ２に手指を差し入て遊技盤１５を前後方向（図１２で上下方向）に動かしやすいので、遊技盤１５の回動操作がスムーズになり、遊技盤装着枠部９３への遊技盤の脱着作業が極めて簡単になる。
【００４６】
さらに、遊技機１０の取手構造では、遊技盤１５の切り欠きＪの位置から取手８０の位置を知ることができるため、作業者が取手８０を探す手間が省ける。
また、切り欠きＪの間に手指が収まるので、遊技盤１５の幅方向に手指が大きくズレるようなこともない。
【００４７】
さらに、遊技機１０の取手８０は、次のようなコネクタ構造の抜き差し操作を容易にするという付随的な効果も得ることができる。
すなわち、図２７に示すように、遊技盤１５の背面には、集合樋６１上にコネクタ８４が設けられる。コネクタ８４には、遊技盤１０の裏面の基板ボックス６２に収納された主制御基板と、基板ボックス６２の前方の副制御基板ボックスに収納された副制御基板とが配線接続されている。一方、コネクタ８５には電源基板、払出制御基板、スピーカ等の本体枠１３に装着された回路基板や電装品が配線接続されている。そして、遊技盤１０を本体枠１３に前方から装着すると、その装着操作に伴って、コネクタ８４とコネクタ８５とが接続されて、遊技盤１５側と本体枠１３側とが電気的に接続される（図１７参照）。
【００４８】
取手８０とコネクタ８４との位置関係は、コネクタ８４のベース板２１を挟んで概ね前方位置に取手部８０が設けられている。すなわち、取手８０を前後に動かしたときに、その力がコネクタ８４に作用しやすい位置関係にある。
【００４９】
本体枠１３から遊技盤１５を取り外す場合、取手８０に手指を掛けて遊技盤１５を支えるとともに、取手８０を前方に引っ張ると、その力でコネクタ８４も前方に引っ張られる。これにより、図１８に示すように、本体枠１３のコネクタ８５から遊技盤１５のコネクタ８４が簡単に外れる。また、本体枠１３に遊技盤１５を取り付ける場合には、取手８０に指を掛けて遊技盤１５を支えるとともに、取手８０を後方に押し込むと、コネクタ８４も後方に押されて副制御装置のコネクタ８５に容易に差し込むことができる。
【００５０】
以上、遊技機１０の取手構造を説明したが、本発明の実施形態はこれに限定されることなく、必要に応じて、その構成の変更を伴ってもよい。
例えば、前記実施形態では、袋状の取手８０をコーナ飾り９１ｄの下端部に設けているが、その側端部に設けてもよい。また、コーナ飾り９１ａ〜９１ｃの上下端部や左右端部に設けることも可能である。
また、前記実施形態では、取手８０の幕板８２の下端を水平直線状に形成しているが、この下端形状を上向きアーチ状にして手指が収まりやすくしてもよい。
さらに、遊技盤１５のコネクタ８４，８５は、必要に応じてその位置を変更してもよい。
【００５１】
［その他の発明］
次に、遊技機１０に採用されている他の発明について説明する。遊技機１０には、前述した取手構造に関する発明の他、各所に複数の発明が適用されている。
【００５２】
［他の発明１：セル画シートの除電構造］
一般に、パチンコ機等の遊技盤は、ベニア板等からなる盤面にセル画シートが貼られている。セル画シートは、透明フィルムに印刷された画により遊技盤面を装飾するもので、その中には金属光沢を有するセル画シートがある。そのようなセル画シートは、例えば、ＰＥＴ（ポリエチレンテレフタレート）、キャブロイドなどの透明フィルムに装飾用の図柄を印刷し、これにアルミ箔（金属層）を貼り付け、さらに、この金属層に接着剤で裏打ち紙を貼り付けて形成されている。そして、このような金属層による光の反射によって、印刷された図柄や背景にメタリックな風合いが加味され、遊技領域に独特の趣を醸し出す。
【００５３】
ところが、このようなセル画シートは、遊技時にその金属層に静電気を帯びやすく、これが原因で遊技球が役物や釘等に接触した際にスパークし、各種制御装置の誤動作を招く電磁波ノイズを引き起こしやすい。
【００５４】
そこで、本発明の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、
前記セル画シートに打ち込まれてその金属層に接触する貫入部と、
前記貫入部に連なって前記遊技盤表面に露出し、前記遊技盤周囲の所定のアース端子に接触する中継部とを備える構成とした。
【００５５】
本発明の遊技機によれば、遊技盤の表面に除電金具を打ち込むと、その貫入部がセル画シートを貫いてシート内部の金属層に接触する。一方、除電金具の中継部は、遊技機に設置される既存のアース端子（例えばガラス枠の骨格鉄板）に接触する。これにより、セル画シートの金属層が除電金具を介してアースされることになり、金属層に静電気が発生しても、直ちにその電荷を外部へ逃がすことが可能になる。
【００５６】
また、本発明の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、前記セル画シートに打ち込まれてその金属層に接触する貫入部を有しており、かつ、この前記貫入部が板刃であるとよい。
【００５７】
このような構成によれば、セル画シートに板刃状の除電金具を打ち込むため、セル画シートがその刃先で分断され、下方に押し込まれた透明フィルム層が周面を覆ったり、削り屑が生じることがなく、板刃側面が金属層に接触しやすくなる。また、板刃と金属層との接触面積が大きくなるため、広い導電通路を確保することができる。なお、前記板刃には、鋸切り刃、ナイフ刃の他、弧状または筒状の刃も含む。
【００５８】
以下、本発明の具体例を遊技機１０の構成に基づいて説明する。
外レールユニット２２Ａの裏面側であって、図５および図６［Ｚ］部分に示す外レール終端部の拡大図を図１９（Ａ）および（Ｂ）に示した。
図１９（Ａ）に示すように、外レール終端付近の裏面は、除電金具５０を取り付けるための台座４０になっており、この台座４０に除電金具５０が所定の向きにセットされる。
台座４０とベース板２１との間に除電金具５０がセル画シートと接触した状態で挟まれることになる。
【００５９】
図２０に示すように、台座４０は、ユニット前面パネル４１に立ち上げられたボス３１ａ、仕切壁４４、４５、４６等から構成される。ボス３１ａは、外レール始端付近でベース板２１に外レールユニット２１Ａをネジ固定するためのボスである。
ボス３１ａおよび仕切壁４４、４５、４６は、図２０で上端面が均一の高さに統一されており、これらの端面で除電金具５０を支持するようになっている。
【００６０】
台座４０のボス３１ａの両側には一対の支持ピン４８が形成される（図１９参照）。これらの支持ピン４８の先端は、ボス３１ａの上端面（除電金具５０の支持面）よりの高い位置まで突出し、支持ピン４８間で除電金具５０を挟めるようになっている。
【００６１】
ユニット側面パネル４２と仕切壁４４との間には、後述する除電金具５０の凸折り部（屈曲面）の収納スペースが設けられる。この収納スペースは、ユニット前面パネル４１に開口する小窓Ｗ（図２０参照）により遊技盤１５の前面側に開放されている。
【００６２】
図２１および図２２に示すように、除電金具５０は、金属製の帯板を折り曲げて形成されるもので、その平板部５１の一端に斜め折り部５２を有し、他端に縦折り部５３および横折り部５４が連なっている。横折り部５４のほぼ中間位置には断面Ｕ字形の凸折り部５５が設けられる。
【００６３】
平板部５１にはネジ穴Ｈ１が形成される。ネジ穴Ｈ１は、台座４０に除電金具５０をセットしたときにボス３１ａのネジ穴Ｈ２と重なる位置にある（図２０参照）。すなわち、これらのネジ穴Ｈ１およびＨ２に同時に固定ネジを通せるようになっている。
【００６４】
ネジ穴Ｈ１の周方向にはその穴面に沿って鋸歯状の板刃５８が連なっている。図２３に示すように、板刃５８の板面は、ささくれ状になってネジ穴Ｈ１の外側（ネジ穴軸方向）に向いており、その先端は鋸歯状に分断され、鋭角の刃先が環状に並ぶ。なお、このようなささくれ状の板刃３１ａは、例えば平板部５１の板面に先端十字形の穴あけ工具等を突き刺すことで形成することができる。
【００６５】
平板部５１のネジ穴Ｈ１を挟んだ両側端には円弧溝Ｋ１およびＫ２が形成される。図２４に示すように、これらの円弧溝Ｋ１とＫ２との距離は、前述の支持ピン４８，４８の間の距離にほぼ等しい。この結果、支持ピン４８，４８の間に円弧溝Ｋ１とＫ２を合わせることで、台座４０に除電金具５０を仮止めすることができる。また、仮止めによってボス３１ａのネジ穴Ｈ２と、平板部５１のネジ穴Ｈ１とを簡単に位置合わせすることができる。
【００６６】
図２５に示すように、斜め折り部５２は、除電金具５０の長さ方向に対しほぼ４５゜の角度で折り曲げられる。斜め折り部５２の外側面には、ドーム形の凸部５２ａが形成されている。台座４０に除電金具５０をセットすると、仕切壁４６と案内レールＲとの間の隙間に斜め折り部５２が収まり、凸部５２ａが案内レールＲに接触する。すなわち、この凸部５２ａと案内レールＲとの接触により、案内レールＲと除電金具５０との導電通路が確保されることになる。
【００６７】
縦折り部５３および横折り部５４は、平板部５１に対してそれぞれほぼ垂直および平行な折り曲げ角をなしている。縦折り部５３の長さは、ユニット側面パネル４２と仕切壁４４との間の収納スペースの深さにほぼ一致する。この結果、図２０に示すように、収納スペースの底位置まで縦折り部５３を挿入することができ、このとき、横折り部５４の板面が収納スペースの底面（ユニット前面パネル４１の裏面）に重なる。
【００６８】
縦折り部５３および横折り部５４のそれぞれの折曲線付近には、矩形の貫通穴Ｓ１、Ｓ２が形成される（図２１参照）。これらの貫通孔Ｓ１、Ｓ２は、除電金具５０の板面の歪みを吸収する役割を果たす。
また、貫通孔Ｓ１は、図２０に示すように、仕切壁４４の突起４４ａに嵌まり、台座４０への除電金具５０の取付状態を安定させる。
【００６９】
凸折り部５５は、横折り部５４の板面にほぼ垂直に立ち上げられており、台座４０に除電金具５０をセットしたとき、その凸折り部５５がユニット前面パネル４１の小窓Ｗに嵌る（図２０参照）。遊技盤１５の正面からレールユニット２２のレール終端付近を見ると、ユニット前面に凸折り部５５が突出した状態となる（図１および図２参照）。
【００７０】
図１に示すように、ガラス枠１４の背面側には、フレーム骨格となる鉄板が露出しており、この鉄板の一部を折り曲げて舌片状のアース端子５９が形成される。アース端子５９は、ガラス枠１４のフレーム骨格（金属部）を含む遊技機１０の既存のアース配線によって接地される。図１に示す遊技機１０の開放状態から、ガラス枠１４を本体枠１３側に閉じると、アース端子５９が除電金具５０の凸折り部５５に接触し、除電金具５０がアース配線に接続される。
【００７１】
除電金具５０とアース端子５９との接触は、ガラス枠の閉鎖時にアース端子５９に凸折り部５５が押されて撓むことによって行われる。このため、アース端子５９の金属面に凸折り部５５の屈曲面が弾性変形して密着する格好となり、その接触状態が良好に保たれる。
【００７２】
次に、遊技機１０による静電気の除電作用について説明する。
ベース板２１にレールユニット２２を固定する場合、台座部４０に除電金具５０をセットし、ボス３１ａにネジを通してベース板２１に締め込むと、図２６に示すように、ネジＮによってレールユニット２２全体がベース板２１に向かって押し付けられ、同時にボス３１ａとベース板２１との間に挟まれた除電金具５０の板刃５８がセル画シートＬを突き破ってベース板２１に刺さる。そして、板刃５８の側面がセル画シートＬの金属層Ｌ３に接触し、金属層Ｌ３をアースすることになる。なお、図２６に示すセル画シートＬにおいて、最下層Ｌ１は裏打ち紙層、第２層Ｌ２は接着材層、第３層Ｌ３はアルミ箔等の金属層、第４層Ｌ４はインク層、最上層Ｌ５（表面層）は透明フィルム層を示している。
【００７３】
このように遊技機１０によれば、セル画シートＬの金属層Ｌ３が板刃５８を介して除電金具５０に接触し、アースされるまでの経路を形成するため、金属層Ｌ３に静電気が帯電しても、除電金具５０から前述のアース端子を通して静電気が直ちに外部に放出される。
この結果、遊技機１０に静電気による電磁波ノイズが発生しにくく、制御装置等の誤動作を未然に防止することができる。
【００７４】
また、遊技機１０は、板刃５８の刃先をセル画シートＬに差し込んで金属層Ｌ３と接触する構成であるため、セル画シートＬの各層が板刃５８と一緒にベース板２１の下方に押し込まれにくい。これにより、除電金具５０と金属層Ｌ３とが他の層に邪魔されることなく確実に接触し、導電通路の信頼性が高まる。
【００７５】
また、除電金具５０のネジ穴Ｈの穴面に沿って板刃５８を立ち上げているので、除電金具５０をネジＮで固定する際に同時に板刃５８をセル画シートＬに差し込むことができ、除電金具５０の取り付けの手間も少ない。
【００７６】
また、前述したように、除電金具５０はその斜め折り部５２で金属製の案内レールＲとも接触しているので、例えば発射球が帯電しているような場合に案内レールＲが静電気を帯びても、このような静電気を同時に除去することができる。
さらに、除電金具５０は、帯板材を折り曲げて形成する簡単な構成であるため、製造コストも比較的少なくて済む。
【００７７】
なお、本実施形態は、必要に応じて、その構成部分の変更を伴ってもよい。例えば前記実施形態では除電金具５０を外レールユニット２２Ａに取り付けているが、これに代えて、中間レールユニット２２Ｂや内レールユニット２２Ｃに取り付けるようにしてもよい。
また、除電金具５０の板刃５８は、ネジ穴Ｈ１の穴面に沿って環状に複数並んでいるが、これらは必ずしも全て設ける必要はなく、歯抜け状の板刃にしたり、歯無しの筒状板刃の構成にしてもよい。また、除電金具５０の板刃は、筒状に限定されるものではなく、平板状であってもよい。
【００７８】
［他の発明２：遊技盤の共締め構造］
前記実施形態のように遊技盤１５にレールユニット２２を有するタイプの遊技機では、ベース板２１にレールユニット２２を固定するための圧入ピンの数が多くなりやすい。このため、ベース板２１にレールユニット２２を固定する際の作業工程が煩雑だったり、固定装置の大型・複雑化を招くといった問題が生じることがある。
【００７９】
一方、遊技盤の背面には、通常、遊技球を回収するための集合樋が取り付けられる。集合樋は、ベース板の背面にネジ等で固定されるのが一般的である。
【００８０】
前述したような問題点を解決するため、本発明は、レールユニットの固定手段と、集合樋の固定手段を兼用する点に着目した。
すなわち、本発明の遊技機は、ベース板の前面にレールユニット、背面に集合樋を固定する遊技盤を備えた遊技機において、  
前記ベース板の所定位置に貫通孔を形成し、前記レールユニットおよび前記集合樋をそれぞれ前記貫通孔に位置合わせしてネジで共締めする構成とした。
【００８１】
このような構成によれば、レールユニットの固定ネジと、集合樋の固定ネジとが共通化されるため、両者の固定作業を同時に行うことができ、作業工程が大幅に簡略化される。
また、レールユニットを固定するための専用の圧入ピンやネジの本数を減らすことができるため、固定装置の大型・複雑化を招きにくくなる。
【００８２】
具体例を実施形態で示すと、レールユニット２２は、外レールユニット２２Ａの下部であって、その側端付近に上下に２箇所のボスＢ１（図６参照）、また、中間レールユニット２２Ｂの下部であって、その側端付近に上下に２箇所のボスＢ１が形成されている（図９および図１０参照）。
【００８３】
図２７および図２８に示すように、ベース板２１の背面下部には集合樋６１および基板ボックス６２が固定されており、このうち、集合樋６１の四隅部にボスＢ１と等しい間隔を保って４つのボスＢ２が形成されている。
【００８４】
図２９に示すように、ベース板２１の下部には、前述のボスＢおよびＢ２に一致する位置に貫通孔Ｔが形成される。
ベース板２１にレールユニット２２と集合樋６１とを固定する場合、ベース板２１を挟んで貫通孔Ｔに両者のボスＢおよびＢ２を位置合わせし、ネジ６３によって共締めする。
【００８５】
このようにベース板２１にレールユニット２２と集合樋６１とを共締めすることにより、これらの固定作業が簡略化される。また、レールユニット２２の圧入ピン３２ａ〜３２ｈ（図６、図１０参照）が比較的少ない本数で済み、ベース板２１にレールユニット２２を圧入するための固定装置の小型化が行いやすく、固定装置への位置合わせ等の作業が簡単になる。
【００８６】
［他の発明３：保護カバーの開閉機構］
遊技盤の外レール始端付近には、ファール球（落下球）と発射球とが衝突した弾みで正面ガラスに当たるのを防止するために保護カバーが設けられることがある。通常は、レール面に対し保護カバーをほぼ垂直に立てて保持し、一方、レール面を掃除するときには、保護カバーを取り外すか、または、可撓性材料からなる保護カバーを折り曲げてレール面を覗けるようにしている。
しかしながら、このような従来の保護カバーは、一旦保護カバーを取り外すと、その取り付けが面倒である。また、保護カバーを折り曲げた状態では、掃除の際に保護カバーが邪魔になりやすい。
【００８７】
前記問題点を解決するため、本発明の遊技機は、遊技盤の外レール始端付近に、レール面を覆う保護カバーを有する遊技機において、
前記保護カバーは、前記遊技盤の正面側に支軸により開閉可能に支持されており、かつ、前記保護カバーの開閉軸付近に、前記保護カバーの開閉角度を規制する係止爪を備える構成とした。
【００８８】
このような構成によれば、保護カバーが前記遊技盤の正面側に支軸によって開閉可能に支持されるため、その開閉操作を簡単に行える。また、係止爪で保護カバーの開放角度を一定に保っておくことができるため、レール面を掃除する際に、保護カバーが邪魔になりにくい。
【００８９】
具体例を本実施形態で示すと、図３０に示すように、外レールユニット２２Ａのレール始端付近に保護カバー７０が取り付けられる。保護カバー７０は、ガラス枠１４の内側であって、案内レールＲを覆う位置に取り付けられている。
【００９０】
図３１および図３２に示すように、保護カバー７０は、透明なプラスチック材料からなり、案内レールＲの弧状のレール面に沿って帯状に延びている。保護カバー７０の下端には支軸７１，７１が一体形成される。支軸７１，７１が外レールユニット２２Ａの軸受７４（図３０参照）に嵌って回動することで、保護カバー７０が遊技盤１５の正面側に開閉する。
【００９１】
保護カバー７０の下端には、２個の平行な開放スリットの間にバネ板７２が形成される。このバネ板７２の先端であって、保護カバー７０の開閉軸付近に係止爪７３が形成されている。
【００９２】
図３３は、外レールユニット２２Ａから保護カバー７０を取り外した状態を示している。外レールユニット２２Ａの保護カバー取り付け部には、保護カバー７０の支軸７１，７１と等間隔に軸受７４，７４が配置される。軸受７４，７４は、有底筒状になっており、これらの開放筒端から軸方向に支軸７１，７１をズラして挿入する。
【００９３】
軸受７４，７４の間には突起７５が形成される。外レールユニット２２Ａに保護カバー７０を取り付けると、突起７５の傾斜面が保護カバー７０の係止爪７３に当たる。
【００９４】
通常時、図３４に示すように、係止爪７３は、その膨出部７３ａのレール面に近い端面（図３４（Ａ）で右下端面）が突起７５の傾斜面に当たって保護カバー７０をレール面に対しほぼ垂直な状態に保つ。
保護カバー７０の上端部を手で持って外側に開くと、図３４（Ｂ）に示すように、膨出部７３ａが突起７５の傾斜面を上るようにズレながら回動し、バネ板７２を撓ませる。そして、保護カバー７０が一定角度まで開くと、膨出部７３ａと突起７５との接触面が切り替わってバネ板７２の撓みが開放され、膨出部７３ａの反対側の端面（図３４（Ａ）で左下端面）が突起部７５の傾斜面に当たって、保護カバー７０の開放角度を保持する（図３４（Ｃ）参照）。
【００９５】
このように本実施形態によれば、保護カバー７０が支軸７１により開閉自在に支持されるため、その開閉操作が簡単になる。また、保護カバー７０の開閉角度が係止爪７３で規制されるため、保護カバー７０を開けたまま片手でも容易にレール面の掃除を行うことができる。
さらに、保護カバー７０の開放角度を起立状態から９０゜未満の範囲に制限することで、保護カバー７０の閉め忘れにも対応することができる。すなわち、上記範囲では、保護カバー７０を開けたままガラス枠１４を締めても、そのガラス板で保護カバー７０が押され、バネ板７２のバネ効果により起立状態（図３４（Ａ））に戻る。この結果、遊技機のメンテナンスも安心して行える。
【００９６】
［他の発明４：レールユニットの角取り］
前述したように、遊技機１０は、本体枠１３の開口部（遊技盤装着枠部９３）に、本体枠１３の前方から遊技盤１５を差し入れて遊技盤１５を装着する構成になっている。一方、前記実施形態の遊技機は、遊技盤１５のベース板２１にレールユニット２２の前面部を構成するコーナ飾りが一体的に設けられている。
このようにベース板にコーナ飾りが一体的に固定されると、コーナ飾りの厚みが邪魔になって本体枠の前方から遊技盤を差し入れて取り付ける作業が行いにくくなることがある。特に、遊技機のヒンジ側のコーナ飾りは、本体枠の枠面にぶつかりやすく、取り付け作業の障害となりやすい。
【００９７】
本発明の遊技機は、本体枠の開口部に、本体枠の前方から遊技盤を差し入れて遊技盤を装着する構成を備えた遊技機において、
前記遊技盤のベース板の前面部に取り付けられるコーナ飾りを有し、
前記コーナ飾りの側端部のうち、少なくとも前記遊技機のヒンジ側に向いた側端部に、後部から前部に向けて前記ベース板の側端から逃げるように内側に傾斜する角取り面を設ける構成とした。
【００９８】
このような構成によれば、コーナ飾りの側端部に角取り面が設けられるため、本体枠の開口部に遊技盤の側端を近づけても、コーナ飾りが本体枠の枠面にぶつかりにくくなる。
これにより、コーナ飾りが邪魔になることなく、本体枠にスムーズに遊技盤を取り付けることができる。
【００９９】
具体例を実施形態で示すと、図２に示すように、遊技盤１５には、ベース板２１上にレールユニット２２が固定されており、その四隅部にコーナ飾り９１ａ〜９１ｄが一体的に形成されている。各コーナ飾り９１ａ〜９１ｄは、上下および左右で互いに連なっており、遊技領域Ｐの外側の盤面をほぼ全面覆っている。
遊技盤１５のヒンジ側のコーナ飾り９１，９１には、係止溝９２，９２が形成される。
【０１００】
図１１に示すように、遊技盤１５を装着するための本体枠１３には、遊技盤装着枠部９３が設けられており、この遊技盤装着枠部９３は、そのヒンジ側に係止片９４，９４を有している。係止片９４，９４は、遊技盤１５の係止溝９２，９２に嵌って装着後の遊技盤１５を固定する。
【０１０１】
図３０および図３１に示すように、ヒンジ側のコーナ飾り９１ａおよび９１ｂの側端部には角取り面９５が形成される。角取り面９５は、後部から前部に向けてベース板２１の側端から逃げるように遊技盤１５の前方（正面側）に向けて内側に傾斜している。
【０１０２】
遊技盤装着枠部９３への遊技盤１５の挿入時には、図３７に示すように、遊技盤装着枠部９３の枠面に対して遊技盤１５が斜めに傾きやすいが、コーナ飾り９１は、角取り面９５によって遊技盤装着枠部９３から離れた位置に保たれる。このため、コーナ飾り９１に邪魔されることなく、本体枠１３に遊技盤１５を取り付けることができる。
【０１０３】
なお、本実施形態のように、遊技盤装着枠部９３の係止片９４にコーナ飾り９１の係止溝９２を嵌め合わせる場合には、係止片９４に向き合う係止溝９２の溝側面にも角取り面９７（図３６参照）を形成することが望ましい。
このように係止溝９２に溝内に角取り面９７を形成することで、遊技盤装着枠部９３への遊技盤１５の挿入時に、図３７に示すように、係止片９４と角取り面９７との間にも十分な距離が保たれ（図３７参照）、係止片９４に係止溝９２を嵌め合わせやすくなる。
【０１０４】
［他の発明５：レールユニットの圧入ピン収納構造］
前記実施形態のように複数の圧入ピンを有するレールユニットは、レールユニットを積み重ねると、圧入ピンが隣り合うレールユニットに当たり、ユニット間に隙間を形成するため、嵩張りやすく、運搬や保管等の取り扱いが不便である。
【０１０５】
本発明の遊技機は、複数の圧入ピンを有するレールユニットを備えた遊技機において、このレールユニットの圧入ピンと反対側のユニット面に、隣り合う他のレールユニットの圧入ピンを収納可能な収納穴を設ける構成とした。
【０１０６】
このような構成によれば、レールユニットを積み重ねる際に、重なり合ったレールユニットの収納穴に圧入ピンを収納することで、ユニット間に隙間が少なくなる。この結果、レールユニットをコンパクトに積み重ねることができ、運搬・保管等の取り扱いが便利になる。
なお、本発明は、圧入ピンだけでなく、レールユニット背面に突出するボスなどの他の突出部に適用してもよい。
【０１０７】
本実施形態では、外レールユニット２２Ａに本発明を適用している。図６に示すように、外レールユニット２２Ａの背面には、レール面に沿って４つの圧入ピン３２ａ〜３２ｄが設けられる。また、ユニット下部にはボスＢ１が突出している。
これらの４つの圧入ピン３２ａ〜３２ｄの反対側すなわちレールユニット２２Ａの前面側には、収納穴１００ａ〜１００ｄ（図４参照）が設けられる。また、ボスＢ１の反対側の位置には収納穴１０１が設けられている。収納穴１００ａ〜１００ｄおよび１０１は、圧入ピン３２ａ〜３２ｄおよびボスＢ１とほぼ同軸線上にある。
【０１０８】
外レールユニット２２Ａを複数重ねると、図３８に示すように、これらの圧入ピン３２ａ〜３２ｄとボスＢ１が隣り合う外レールユニット２２Ａの収納穴１００ａ〜１００ｄおよび１０１に嵌まる。この結果、外レールユニット２２Ａの間の隙間がなくなり、コンパクトな形態で外レールユニット２２Ａの運搬や保管等を行うことができる。
【０１０９】
［他の発明６：レールユニットのロック機構］
従来、複数に分割されたレールユニット（外レールユニット、中間レールユニットおよび内レールユニット）は、取り扱いが容易な分割状態で運搬、保管され、遊技盤（ベース板）にそれぞれ組み付けられる。しかし、隣り合うユニットを、球の滑走、転動に支障がないようそれらの弧状のレール面を正確に一致させながら遊技盤（ベース板）に組み付けるのは面倒な作業であった。
そこで、前記実施形態に示す本発明では、複数に分割されたレールユニット（外レールユニット２２Ａ、中間レールユニット２２Ｂおよび内レールユニット２２Ｃ）を組み合わせて遊技領域を区画する構成を備えた遊技機おいて、分割された前記レールユニットのうち、少なくとも２以上のユニット同士（中間レールユニット２２Ｂ、内レールユニット２２Ｃ）を回動可能に軸支する構成とした。
【０１１０】
このような構成によれば、遊技盤（ベース板）の前面にレールユニットを組み付ける前に、レールユニットを運搬、保管等する場合、回動可能に軸支されたユニット同士を閉じてコンパクトな形態に折り畳むことができ、運搬、保管等に面倒がない。一方、遊技盤（ベース板）にレールユニットを組み付けるときには、回動軸を中心にユニット同士を回動させれば、遊技領域を区画する形状になるようにレールユニットを直ぐに展開することができ、かつ隣り合うユニットの弧状のレール面を容易に一致させて組み付けることができる。
【０１１１】
前記発明において、回動可能に軸支されたレールユニットの運搬、保管等の際には、ユニット同士を閉じた状態に保ってもガタ付きやグラ付きが生じることがある。また、レールユニットを遊技盤（ベース板）に組み付ける場合には、レールユニットを展開しつつ、これらのレール面（図３参照）を展開方向で容易に位置決めできればなおよい。
【０１１２】
そこで、本発明の遊技機を、当該２以上に分割された前記レールユニットを軸支する構成とした上で、前記レールユニットには互いにスライドしながら重なり合う重合部を形成し、これらの重合部に、回動軸を中心に前記レールユニットを閉じたときと、前記レールユニットのレール面が一致したときとにそれぞれ嵌合し合うロック爪およびロック穴を設ける構成とする。
【０１１３】
このような構成によれば、回転軸で軸支されたユニット同士を閉じる場合には、その重合部をスライドさせて、予め閉じ位置に設けたロック爪とロック穴とを嵌め合わせる。すると、ユニット同士が閉じたままロックされ、運搬等の取り扱いが容易になる。
また、レールユニットを展開する場合には、展開位置に設けたロック爪とロック穴とを嵌め合わせると、展開方向においても簡単かつ正確にユニット同士のレール面を一致させることができる。
【０１１４】
具体例を実施形態で示すと、遊技機１０のレールユニット２２は、外レールユニット２２Ａ、中間レールユニット２２Ｂ、および内レールユニット２２Ｃに分割されている。これらのユニットのうち、図３９に示すように、中間レールユニット２２Ｂと内レールユニット２２Ｃが連結ネジ２６（回転軸）で回動可能に軸支されている。中間レールユニット２２Ｂおよび内レールユニット２２Ｃには、連結ネジ２６のボス１１０、１１１が形成され、これらのボス１１０、１１１が互いに重なり合っている。
図４０に示すように、中間レールユニット２２Ｂのボス１１０にはロック穴Ｍ１、Ｍ２が開口している。一方、内レールユニット２２Ｃのボス１１１にはロック穴Ｍ１およびＭ２に嵌合可能なロック爪１１２が図４０で下向きに突出している。これらのロック穴Ｍ１、Ｍ２およびロック爪１１２は、連結ネジ２６の中心に対して同心円上にある。
【０１１５】
中間レールユニット２２Ｂと内レールユニット２２Ｃとを閉じる場合、ボス１１０とボス１１１とをスライドさせ、図４０に示すように、ロック穴Ｍ２にロック爪１１２が嵌るようにする。このとき、図４１に示すように、連結ネジ２６を中心として中間レールユニット２２Ｂと内レールユニット２２Ｃとが折り畳まれ、これらの運搬や保管に便利な形態になる。
【０１１６】
一方、図４０に示す状態から、連結ネジ２６の周りに内レールユニット２２Ｃを反時計回りに回動させると、重合部１１０，１１１がスライドし、図３９に示すように、ロック穴Ｍ１にロック爪１１２が嵌まる。同時に、中間レールユニット２２Ｂと内レールユニット２２Ｃのレール面が一致することになる。
【０１１７】
本実施形態では、図４２および図４３に示すように、中間レールユニット２２Ｂと内レールユニット２２Ｃの連結ネジ２６から離れた位置に重合片１１４，１１５を設け、これらの接触面にロック穴Ｍ３とロック爪１１６とをそれぞれ形成している。
例えば図４３の状態から、中間レールユニット２２Ｂと内レールユニット２２Ｃとを展開してレール軌道を形成する場合、連結ネジ２６の周りに内レールユニット２２Ｃを反時計回りに回動させると、重合片１１４，１１５がスライドし、ロック穴Ｍ３にロック爪１１６が嵌まって中間レールユニット２２Ｂと内レールユニット２２Ｃのレール面が一致し、図４２に示す状態となる。
このように中間レールユニット２２Ｂおよび内レールユニット２２Ｃにロック穴Ｍ１，Ｍ２，Ｍ３とロック爪１１２，１１６を採用することで、レールユニットの運搬、収納等の取り扱いが容易になり、かつ、レールユニットの展開時のレール面の位置合わせを簡単かつ正確に行うことができる。
【符号の説明】
【０１１８】
１０    遊技機
１２    外枠
１３    本体枠（基枠）
１４    ガラス枠
１５    遊技盤
１６    ヒンジ
２１    ベース板
２２    レールユニット
２５    連結ピン
２６    連結ネジ
３１ａ〜３１ｉ  ボス
３２ａ〜３２ｈ  圧入ピン
４０    台座
５０    除電金具
５１    平板部（中継部）
５８    板刃（貫入部）
６１    集合樋
７０    保護カバー
７１    支軸
７２    バネ板
７３    係止爪
７４    軸受
８０    取手
８１    天板
８２    幕板
８２    側板
８５    補強部材
Ｊ    切り欠き
Ｊ１  開口部
Ｊ２  指掛収容部
８４、８５    コネクタ
９１ａ〜９１ｄ  コーナ飾り
９２    係止溝
９３    遊技盤装着枠部
９４    係止片
９５，９７  角取り面
１００ａ〜１００ｄ  収納穴
１１２，１１６  ロック爪
Ｂ１，Ｂ２  ボス
Ｈ１，Ｈ２  ネジ穴
Ｌ    セル画シート
Ｍ１，Ｍ２，Ｍ３  ロック穴
Ｒ    案内レール
Ｒ１，Ｒ２  レール面
Ｗ    小窓
【手続補正２】
【補正対象書類名】特許請求の範囲
【補正対象項目名】全文
【補正方法】変更
【補正の内容】
【特許請求の範囲】
【請求項１】
遊技盤の前面にその遊技領域の外側領域を埋める所定の厚みのコーナ飾りが設けられ、前記遊技盤の一方の側端を本体枠の係止部に引っ掛けて固定端とし、前記遊技盤の他方の側端を自由端として回動させて前記遊技盤を前記本体枠に装着するようにした遊技機であって、
前記遊技盤の下部で、かつ前記遊技盤の自由端側に配置されたコーナ飾りの下端部に、前面に開口部を有し、前記開口部から前記遊技盤の盤面に沿って、下端部から上方側へ向って前記コーナ飾りの内側に指掛収容部が延びる袋状の取手が形成され、
前記取手の後方位置であって、前記取手に対して前記遊技盤のベース板を挟んだ前記遊技盤の背面に、前記遊技盤の裏面に収納された制御基板に配線接続されたコネクタが配設され、
前記取手を持って前記遊技盤の前記固定端を中心に前記自由端を前記本体枠へ向けて回動する装着操作に伴って、前記コネクタと前記本体枠に装着された回路基板及び電装品に配線接続されたコネクタとが接続されて前記遊技盤側と前記本体側とが電気的に接続される構成とされた、
ことを特徴とする遊技機。